(57)【特許請求の範囲】
【請求項１】
パチンコ遊技機から排出された遊技者の持ち玉を導入する導入開口部と、
前記導入開口部を介して導入された前記持ち玉を回収のために排出する排出部と、
前記導入開口部から導入された前記持ち玉を前記排出部へ導く転動レーンと、
前記導入開口部と前記転動レーンとの間に位置するとともに、前記持ち玉が転動する通路部と、
前記通路部での玉詰まりを防止する玉詰まり防止部材と、
前記転動レーンを転動する前記持ち玉を検出するセンサと、
前記転動レーンを転動する前記持ち玉の経路を切り替える切替部と、
前記経路を切り替えられた持ち玉を貯留する貯留部と、
前記貯留部に貯留された持ち玉を、外部に開放された載置部へ排出する排出機構部と、
を備えることを特徴とする個別計数装置。
【発明の詳細な説明】
【技術分野】
【０００１】
本発明は、パチンコ玉を計数する個別計数装置に関する。
【背景技術】
【０００２】
従来、パチンコ遊技機を設置したホールでは、景品カウンターに設けられた計数装置（ジェットカウンター）によって遊技者の獲得した勝ち玉を計数するようになされており、遊技者は、遊技により獲得した勝ち玉を玉箱（所謂、ドル箱）に入れて景品カウンターへ運ぶ必要があった。
【０００３】
ホールでは、遊技者へのサービスの一環として、閉店間近になると店員が遊技者の勝ち玉を景品カウンターの計数装置に運ぶ作業を実施しており、その分、店員の作業が多くなることを避け得なかった。ホールにとって人件費の削減は経費節減をもたらす大きな要素となっており、店員が遊技者の勝ち玉を景品カウンターへ運ぶ作業を無くすことができれば、店員の作業を減らすことができ、ホールにとって経費節減に大きな効果を発揮するものと考えられていた。
また、パチンコ遊技機から大量にパチンコ玉が払い出される場合、上記玉箱を遊技者の遊技領域周辺の通路に重ねて置くようにしているホールも見受けられるが、このように大量の玉箱を積み重ねて通路に置いておくことは、通路の通行の邪魔になるばかりか、その積み重ねた玉箱に躓くなどの安全性からの問題もはらんでいた。
【０００４】
かかる課題を解決するための一つの方策として、パチンコ遊技機ごとに個別の計数装置を設ける方法が考えられている（特許文献１〜特許文献８、非特許文献１参照）。この個別計数装置は、パチンコ遊技機の下皿の下方に設置され、下皿のシャッタを開けて排出された勝ち玉を計数するようになされている。また、特許文献３に示されているように、計数された玉数は、各パチンコ遊技機に併設されたサンドと呼ばれる玉貸し装置において、遊技者の持ち玉としてカード状の記憶媒体に記憶される。遊技者は、所定の操作を行うことにより、記憶媒体に記憶された持ち玉数を所定数単位で遊技に使用できるようになっており、指定された数のパチンコ玉が、サンドからの指示によって、パチンコ遊技機からその上皿に払い出される。
【０００５】
しかしながら、サンドは、その本来の機能が玉貸し機能であり、所定金額単位の玉数を貸し出すものである。例えば、５００円単位で貸し出すサンドにおいては、１回の操作で５００円分のパチンコ玉がパチンコ遊技機の上皿に払い出されるようになっている。例えば、１玉が４円として設定されている場合には、５００円分として１２５玉がサンドからの指示によってパチンコ遊技機によりその上皿に払い出される。
【０００６】
従って、遊技者が記憶媒体に記憶された持ち玉を使用する場合、サンドの機能によって決まる所定数単位（例えば１２５玉単位）でしかこれを使用することができない。この点について従来では、計数装置によって計数された持ち玉数として記憶媒体に記憶されている玉数が所定数（例えば１２５玉）で割り切れない数である場合を考慮し、割り切れない余り玉を遊技者が利用できるようにするため、パチンコ遊技機を介さずに、サンドから直接パチンコ遊技機の上皿に持ち玉を払い出すためのノズルを設けるようにしている（特許文献９、非特許文献１参照）。
【先行技術文献】
【特許文献】
【０００７】
【特許文献１】特開平５−６８７４０号公報
【特許文献２】特開平６−７９０５９号公報
【特許文献３】特開平９−１５５０５８号公報
【特許文献４】特開平１０−８５４４２号公報
【特許文献５】特開平１１−５７１９８号公報
【特許文献６】特開平１１−５７２００号公報
【特許文献７】特開平１１−５７２０２号公報
【特許文献８】特開平１１−１９２３７０号公報
【特許文献９】特開２００８−２９８８２号公報
【非特許文献】
【０００８】
【非特許文献１】株式会社マースエンジニアリング、“パーソナルＰＣシステム”、第１頁、[online]、 [2009年3月2日検索]、インターネット〈URL:http://www.mars-eng.co.jp/products/personal_3.html〉
【発明の概要】
【発明が解決しようとする課題】
【０００９】
しかしながら、余り玉を払い出すためのノズル等の機構を各サンドに設けることは、当該サンドがパチンコ遊技機間の狭い隙間に設けられていることから、設計が難しく、また、このノズルを設けた場合には、遊技者の遊技の邪魔になって破損し易くなり、破損する度にこれを交換する必要がある。
【００１０】
また、ホールにとっては、余り玉を払い出すための機能（ノズル等）が備えられたサンドをはじめから導入することよりも、必要に応じて当該機能を追加することができれば、経営計画上有利であると考えられる。
【００１１】
そこで、本発明の目的は、余り玉を供給するための機能を容易に追加することができる個別計数装置を提供することである。
【課題を解決するための手段】
【００１２】
本発明は、以下のような個別計数装置を提供する。
本発明の個別計数装置は、パチンコ遊技機から排出された遊技者の持ち玉を導入する導入開口部と、前記導入開口部を介して導入された前記持ち玉を回収のために排出する排出部と、前記導入開口部から導入された前記持ち玉を前記排出部へ導く転動レーンと、前記導入開口部と前記転動レーンとの間に位置するとともに、前記持ち玉が転動する通路部と、前記通路部での玉詰まりを防止する玉詰まり防止部材と、前記転動レーンを転動する前記持ち玉を検出するセンサと、前記転動レーンを転動する前記持ち玉の経路を切り替える切替部と、前記経路を切り替えられた持ち玉を貯留する貯留部と、前記貯留部に貯留された持ち玉を、外部に開放された載置部へ排出する排出機構部と、を備えることを特徴としている。
【００１３】
この個別計数装置によれば、計数された持ち玉の一部を、回収用のどぶへ排出することなく貯留しておき、玉貸し装置によって払い出しが困難な数の余り玉の払い出しが必要になった場合に、貯留された持ち玉を余り玉として、外部に開放された載置部に排出し載置することにより、玉貸し装置によって払い出しが困難な数の余り玉を、当該載置部を介して遊技者へ供給することができる。これにより、余り玉を排出するための機能（ノズル等）を有していない玉貸し装置に対して、当該機能を容易に追加することが可能となる。なお、「パチンコ遊技機から排出された遊技者の持ち玉」とは、当該パチンコ遊技機の上皿又は下皿のいずれか、又は専用の排出口から排出されたパチンコ玉を意味する。
【００１４】
また、前記構成に加えて、前記載置部は、小皿状に形成されており、以下のような構成を有していることが好ましい。すなわち、前記載置部は、前記排出機構部から排出される前記持ち玉を受けて遊技者の方向（前方）へ転動させるように遊技者の方向へ漸次に床面が低くなるように傾斜した底部と、当該底部の周囲を取り囲む側壁部と、を備え、前記底部は、前記遊技者の側（前方）においては、前記側壁部へ亘って漸次に床面が高くなるように形成されていることが好ましい。このように構成されていれば、載置部に排出された持ち玉は、遊技者の側に転動して貯留され、さらに遊技者の側（前方）においては、遊技者の側に向かって漸次に床面が高くなる構成により、遊技者が載置部の持ち玉をまとめて掬い上げ易くなるという効果がある。
【００１５】
また、個別計数装置においては、前記構成に加えて、前記パチンコ遊技機から排出された持ち玉の計数結果を記憶する記憶部を備えていることが好ましい。このように構成されていれば、当該個別計数装置が装着された玉貸し装置において、前記計数された持ち玉数のデータが誤って消えてしまう等の障害が発生した場合であっても、個別計数装置側のデータによってこれを復旧させることが可能となる。
【００１６】
また、個別計数装置においては、前記構成において、前記切替部の駆動源として、重りを用いる構成とすることが好ましい。このように構成することで、例えば、ばね等の付勢手段を用いる場合に比べて、耐久性を向上させることができる。
【００１７】
本発明の個別計数装置は、前記構成に加えて、前記パチンコ遊技機に併設され、前記パチンコ遊技機を介して遊技者にパチンコ玉を貸し出す玉貸し装置に対して着脱を行うための着脱部を備え、前記着脱部を介して前記玉貸し装置に装着された場合に、前記導入開口部が、前記パチンコ遊技機の前記持ち玉が排出される下皿の底面部開口の下方に配置されるように構成されていることを特徴としている。
【００１８】
この個別計数装置によれば、玉貸し装置に対して着脱可能であることにより、ホール側で個別計数装置が必要であると判断した時点でこれを導入することができ、ホールの経営に対して柔軟に対応することができるようになる。さらに具体的には、個別計数装置は、貸し玉装置に装着された状態では、パチンコ遊技機の前方に迫り出した部分（従来、玉箱を載せていた部分）に載置されるようになっており、この状態において、パチンコ遊技機の下皿の底部開口の下方に、導入開口部が配置されるように構成されている。これにより、玉貸し装置に装着された個別計数装置は、その導入開口部にパチンコ遊技機の下皿から落下する持ち玉を導入することが可能となる。すなわち、パチンコ遊技機の下皿に持ち玉を排出するためのシャッタ付きの底部開口が形成されていることに応じて、この下方に導入開口部が配置されるように当該導入開口部の位置が決められている。これにより、パチンコ遊技機及びこれに玉貸し装置が併設される従来のレイアウトにおいて、個別計数装置を容易に装着することができる。
【００１９】
また、個別計数装置には、玉貸し装置に挿入された情報カードに記憶された台の種別ごとの持玉数が表示されることが好ましい。台の種別とは、パチンコ玉の１玉あたりの金額に応じて決められる種別を意味し、１玉１円に設定されたパチンコ遊技機、１玉２円に設定されたパチンコ遊技機、１玉４円に設定されたパチンコ遊技機等である。情報カードには、これらの種別ごとに遊技者の持玉数が記憶され、この情報カードが玉貸し装置に挿入された場合に、個別計数装置は、当該玉貸し装置から種別ごとの持玉数を取得して、各種別ごとの持玉数を所定の表示部に表示する。これにより、遊技者に対して、当該遊技者の情報カードに記憶されている持玉数を伝えることができる。
【００２０】
本発明の個別計数装置は、前記構成に加えて、前記センサの検出結果によって計数された数の持ち玉を遊技用に払い出す指示操作を受け付ける持ち玉払出操作部と、前記持ち玉払出操作部の操作結果に基づいて、前記計数された数の持ち玉を払い出す際に、払い出される当該持ち玉数のうち、前記玉貸し装置によって払い出される払出単位数に対する余り玉を前記排出機構部によって前記貯留部から前記載置部へ排出させる排出制御部を備えることを特徴としている。
【００２１】
この個別計数装置によれば、持ち玉数のうち、玉貸し装置によって払い出される払い出し単位数に対する余り玉を貯留部から載置部へ排出することにより、余り玉を排出するための機構を玉貸し装置に別途設ける必要がなくなる。
【００２２】
また本発明は、以下のような玉詰まり防止装置及び個別計数装置とすることが好ましい。すなわち、本発明の玉詰まり防止装置は、パチンコ玉を転動させる傾斜状の通路部と、前記通路部に設けられ、前記通路部のパチンコ玉を強制的に動かすことで当該パチンコ玉の玉詰まりを防止する玉詰まり防止部材と、を備えることを特徴としている。
【００２３】
この玉詰まり防止装置によれば、パチンコ玉が転動する通路部において、当該パチンコ玉を強制的に動かす玉詰まり防止部材を設けることにより、多くのパチンコ玉が集中した場合であっても玉詰まりの発生を防止することができる。特に、比較的大きなホッパーユニットから比較的狭い通路部にパチンコ玉が集まるような構成においては、当該パチンコ玉が玉詰まりを起こす可能性が高いが、通路部におけるパチンコ玉を強制的に動かすことで、玉詰まりを未然に防止することができる。なお、この玉詰まり防止装置は、個別計数装置に限らず、パチンコ玉を扱う他の装置においても広く適用することができる。
【００２４】
本発明の玉詰まり防止装置は、前記構成に加えて、前記玉詰まり防止部材は、前記通路部に面した表面に突起部を有し、前記通路部に沿って往復運動することを特徴としている。
【００２５】
この玉詰まり防止装置によれば、通路部のパチンコ玉に対して、当該パチンコ玉の転動経路に沿って、突起部を有する玉詰まり防止部材を往復運動させることにより、当該突起部によってパチンコ玉を転動経路に沿った方向に強制的に動かすことができる。これにより、パチンコ玉を止まらせることなく転動させることができ、玉詰まりを防止することができる。また、好ましくは、通路部に沿って複数の突起部を設け、各突起部の間隔を、パチンコ玉の直径よりも大きくし、玉詰まり防止部材の往復運動の振幅を突起部の間隔以上とすることにより、突起部がパチンコ玉に確実に当たるようにすることができる。
【００２６】
本発明の玉詰まり防止装置は、前記構成に加えて、前記玉詰まり防止部材は、断面凹状の前記通路部の側面に前記突起部を前記通路部側に向けて配置され、前記パチンコ玉の転動方向に往復運動することを特徴としている。
【００２７】
この玉詰まり防止装置によれば、通路部のパチンコ玉に対して、当該パチンコ玉の転動方向に玉詰まり防止部材を往復運動させることにより、当該突起部によってパチンコ玉を転動経路に沿った方向に強制的に動かすことができ、パチンコ玉を止まらせることなく、転動させることができ、これにより玉詰まりを防止することができる。特に、断面凹状の通路部の側面部において、玉詰まり防止部材を、その突起部を通路側に向けて、パチンコ玉の転動方向に往復運動させることにより、例えば、突起部をパチンコ玉の転動方向とは異なる上下方向等に往復運動させる場合に比べて、玉詰まりを一段と効果的に低減することができる。
【００２８】
本発明の玉詰まり防止装置は、前記構成に加えて、前記玉詰まり防止部材によって強制的に動かされる前記パチンコ玉の一群に分け入る板状部材を備えることを特徴としている。
【００２９】
この玉詰まり防止装置によれば、一群のパチンコ玉の間に板状部材を分け入らせることで、当該一群のパチンコ玉が詰まりかけてもこれを崩すことができ、パチンコ玉が玉詰まり防止部材によって強制的に動かされることと相まって、当該パチンコ玉の一群の詰まり状態を有効に崩して通路部を安定に転動させることができる。
【００３０】
また、本発明の個別計数装置は、好ましくは、パチンコ遊技機から排出された遊技者の持ち玉を導入する導入口と、前記導入口を介して導入された持ち玉を貯留するホッパーユニットと、前記ホッパーユニットに貯留された持ち玉を、前記ホッパーユニットよりも低い移送開始位置まで転動させる通路部と、前記移送開始位置の持ち玉を当該移送開始位置よりも高い位置まで移送する移送機構部と、前記移送機構部によって移送された持ち玉を導入し、導入された当該持ち玉を、当該導入位置よりも低い位置まで転動させる転動部と、前記転動部を転動する持ち玉を検出するセンサと、前記転動部を転動した持ち玉を回収のために排出する排出部と、前記通路部に設けられ、前記通路部の持ち玉を強制的に動かすことで当該持ち玉の玉詰まりを防止する玉詰まり防止部材と、を備えることを特徴としている。
【００３１】
この個別計数装置によれば、持ち玉が転動する通路部において、当該持ち玉を強制的に動かす玉詰まり防止部材を設けることにより、多くの持ち玉が集中した場合であっても玉詰まりの発生を防止することができる。特に、比較的大きなホッパーユニットから比較的狭い通路部に持ち玉が集まる構成においては、当該持ち玉が玉詰まりを起こす可能性が高いが、通路部における持ち玉を強制的に動かすことで、玉詰まりを未然に防止することができる。特に、ホッパーユニットの側縁部に沿って通路部を設ける構成においては、ホッパーユニットから通路部へ転動する持ち玉の転動方向が、通路部の入り口付近で変化することとなり、この部分に持ち玉が集中することになる。従って、この持ち玉の転動方向が変化する通路部の入り口付近に玉詰まり防止部材を配置することにより、ホッパーユニットから通路部への持ち玉の円滑な流入を実現することができる。
【００３２】
本発明の個別計数装置は、前記構成に加えて、前記玉詰まり防止部材は、前記通路部に面した表面に突起部を有し、前記通路部に沿って往復運動することを特徴としている。
【００３３】
この個別計数装置によれば、通路部の持ち玉に対して、当該持ち玉の転動経路に沿って、突起部を有する玉詰まり防止部材を往復運動させることにより、当該突起部によって持ち玉を転動経路に沿った方向に強制的に動かすことができ、持ち玉を止まらせることなく、転動させることができ、これにより玉詰まりを防止することができる。また、好ましくは、通路部の床面に沿って複数の突起部を設け、各突起部の間隔を、持ち玉の直径よりも大きくし、玉詰まり防止部材の往復運動の振幅を突起部の間隔以上とすることにより、突起部が持ち玉に確実に当たるようにすることができる。
【００３４】
本発明の個別計数装置は、前記構成に加えて、前記玉詰まり防止部材は、断面凹状の前記通路部の側面に前記突起部を前記通路部側に向けて配置され、前記持ち玉の転動方向に往復運動することを特徴としている。
【００３５】
この個別計数装置によれば、通路部の持ち玉に対して、当該持ち玉の転動方向に玉詰まり防止部材を往復運動させることにより、当該突起部によって持ち玉を転動経路に沿った方向に強制的に動かすことができ、持ち玉を止まらせることなく、転動させることができ、これにより玉詰まりを防止することができる。特に、断面凹状の通路部の側面部において、玉詰まり防止部材を、その突起部を通路側に向けて、持ち玉の転動方向に往復運動させることにより、例えば、突起部を持ち玉の転動方向とは異なる上下方向等に往復運動させる場合に比べて、玉詰まりを一段と効果的に低減することができる。
【００３６】
本発明の個別計数装置は、前記構成に加えて、前記玉詰まり防止部材によって強制的に動かされる前記持ち玉の一群に分け入る板状部材を備えることを特徴としている。
【００３７】
この個別計数装置によれば、一群の持ち玉の間に板状部材を分け入らせることで、当該一群の持ち玉が詰まりかけてもこれを崩すことができ、持ち玉が玉詰まり防止部材によって強制的に動かされることと相まって、当該持ち玉の一群の詰まり状態を有効に崩して通路を安定に転動させることができる。
【００３８】
本発明の個別計数装置は、前記構成に加えて、前記玉詰まり防止部材は、前記移送機構部の駆動源によって駆動されることを特徴としている。
【００３９】
この個別計数装置によれば、移送機構部の駆動源と玉詰まり防止部材の駆動源とを共用とすることにより、駆動源の数が増加することなく、有効に玉詰まりを防止することができる。
【００４０】
上記玉詰まり防止装置によれば、パチンコ玉の玉詰まりを有効に防止し得ると共に、当該玉詰まり防止装置を設けた個別計数装置によれば、パチンコ遊技機から排出された遊技者の持ち玉を、玉詰まりの発生を防止しながら個別に計数することができる。
【００４１】
すなわち、従来、パチンコ玉を計数する個別計数装置では、複数のパチンコ玉を比較的大きな貯留部に貯留した後、これをセンサ部が設けられた比較的狭い通路に流して計数するようになされており、センサ部の手前でパチンコ玉が玉詰まりを起こす可能性があり、また、個別計数装置に限らず、パチンコ玉を貯留部等の広い領域から通路部等の狭い領域に転動させようとすると、玉詰まりを起こす可能性があり、パチンコ玉を円滑に移動させることが難しくなるが、本発明によれば、これらの玉詰まりの問題を解決することができる。
【００４２】
また本発明は、以下のような玉上げ装置及び個別計数装置とすることが好ましい。すなわち、本発明の玉上げ装置は、パチンコ玉が転動する第１の通路を転動するパチンコ玉を、上方に配置された第２の通路に移送する玉上げ装置であって、ケーシングと、前記ケーシングに支持され、垂直成分を有する仮想平面上で回転可能に設けられたロータと、前記ロータの外周近傍に設けられ、前記ロータの回転に応じて、前記第１及び第２の通路に対して適宜に連通する凹部と、前記ロータを回転するモータと、前記モータを制御する制御部と、前記ケーシングに設けられ、前記凹部に収納されたパチンコ玉を前記第２の通路に押し出す押出部と、を備え、前記押出部は、前記凹部が前記第２の通路に対して連通した際に、前記凹部に収納されたパチンコ玉を、前記ロータの回転力によって前記第２の通路へ押し出すことを特徴としている。
【００４３】
この玉上げ装置によれば、第１の通路から第２の通路に対して、必要な個数のパチンコ玉を移送することができる。また、凹部が第２の通路に連通した際に、当該凹部のパチンコ玉が押出部によって第２の通路に押し出されることにより、パチンコ玉を勢いよく確実に排出することができる。なお、この玉上げ装置は、個別計数装置に限らず、パチンコ玉を扱う他の装置においても広く適用することができるものである。
【００４４】
本発明の玉上げ装置は、上記構成に加えて、前記押出部は、前記ケーシングに対して着脱可能な板ばね状の金属部材であることを特徴としている。
【００４５】
この玉上げ装置によれば、押出部を交換することができる。なお、金属部材は、ロータの回転によって凹部が第２の通路に連通した際に、ケーシングから凹部内に挿入されるように支持されており、ロータの回転に伴って、凹部内のパチンコ玉を掬い取るようにして第２の通路へ押し出すように構成されることが好ましい。
【００４６】
また、本発明の個別計数装置は、好ましくは、パチンコ遊技機から排出される遊技者の持ち玉を計数する個別計数装置であって、前記パチンコ遊技機から排出された前記持ち玉を計数するセンサと、前記計数された持ち玉を貯留する貯留部と、前記貯留部に貯留された持ち玉の必要数を、前記貯留部の上方に設けられた載置部に移送する玉上げ機構部と、を備え、前記玉上げ機構部は、ケーシングと、前記ケーシングに支持され、垂直成分を有する仮想平面上で回転可能に設けられたロータと、前記ロータの外周近傍に設けられ、前記ロータの回転に応じて、前記貯留部に連通する第１の通路及び前記載置部の上部に設けられた第２の通路に対して適宜に連通する凹部と、前記ロータを回転するモータと、前記モータを制御する制御部と、前記ケーシングに設けられ、前記凹部に収納された持ち玉を前記第２の通路に押し出す押出部と、を有し、前記押出部は、前記凹部が前記第２の通路に対して連通した際に、前記凹部に収納された持ち玉を、前記ロータの回転力によって前記第２の通路へ押し出すことを特徴としている。
【００４７】
この個別計数装置によれば、持ち玉の貯留部に連通する第１の通路から載置部の上方に設けられた第２の通路に対して、必要な個数の持ち玉を移送することができる。また、凹部が第２の通路に連通した際に、当該凹部の持ち玉が押出部によって第２の通路に押し出されることにより、持ち玉を勢いよく確実に排出することができる。これにより、貯留部に貯留された持ち玉の必要数を、載置部へ移送することができる。かかる構成の持ち玉の玉上げ機構部を備えることにより、貯留部と載置部とを上下に配置することができ、上下のスペースを有効に利用した個別計数装置を実現することができる。
【００４８】
上記玉上げ装置及び当該玉上げ装置を設けた個別計数装置によれば、上下スペースを有効的に利用して、必要な個数の余り玉を移送させることができる。すなわち、各パチンコ遊技機に個別計数装置を設けようとする場合、できるだけ小型のものが望まれ、そのためには、スペースを有効利用する構成が必要とされている。このため、上下のスペースの各々にパチンコ玉の転動通路を設けることができれば、個別計数装置を一段と小型化し得ると考えられる。この場合、必要な個数の余り玉を、下スペースから上スペースへと移送して払い出す構成が必要となるが、本発明によれば、これらの構成を実現することが可能となる。
【００４９】
また本発明は、以下のようなレーン切替装置及び個別計数装置を提供することが好ましい。すなわち、本発明のレーン切替装置は、パチンコ玉を転動させる転動レーンと、前記転動レーンから当該転動レーンと直交成分を有して分岐する分岐レーンと、前記転動レーンを転動するパチンコ玉を前記分岐レーンへ誘導する誘導面を有する膨出部を、前記転動レーンと前記分岐レーンとの分岐部分において前記転動レーンへ出没させるレーン切替機構部と、を備えることを特徴としている。
【００５０】
このレーン切替措置によれば、転動レーンに膨出部を出没させるという簡単かつ安定な動作によりパチンコ玉の転動レーンを切り替えることができる。なお、このレーン切替装置は、個別計数装置に限らず、パチンコ玉を扱う他の装置においても広く適用することができる。また、転動レーンとは、パチンコ玉を一列に転動させるものに限られず、パチンコ玉１個分以上のレーン幅で形成され、幅方向に複数のパチンコ玉が転動する通路状のものをも含む概念である。
【００５１】
本発明のレーン切替装置は、前記構成に加えて、前記転動レーンと前記分岐レーンとの分岐部分に設けられた前記転動レーンの底部の前記パチンコ玉よりも小さい幅の開口部を備え、前記レーン切替機構部は、前記膨出部を前記開口部を介して前記転動レーンへ出没させることを特徴としている。
【００５２】
このレーン切替装置によれば、転動レーンの底面に設けられた開口部から転動レーン内へ膨出部を出没させることにより、パチンコ玉を分岐させない場合には、膨出部を転動レーンの底面下に退避させることができるので、不要な場合には膨出部が転動レーンを転動するパチンコ玉の障害になることを防止することができる。これにより、安定したレーン切り替えを行うことができる。
【００５３】
本発明のレーン切替装置は、前記構成に加えて、前記分岐レーンは、当該分岐レーンに誘導されたパチンコ玉を貯留する貯留部に接続され、前記レーン切替機構部は、前記貯留部に誘導されたパチンコ玉の総重量の作用により、前記開口部から前記転動レーンへ前記膨出部を出没させることを特徴としている。
【００５４】
このレーン切替装置によれば、貯留部に貯留されたパチンコ玉の総重量に応じて、レーン切替機構部に膨出部を出没させて、貯留部へパチンコ玉を誘導するか否かを切り替えることができる。すなわち、貯留部のパチンコ玉が少なくなると、転動レーンから当該貯留部へパチンコ玉を補充することができる。このように、転動レーンに出没する膨出部を用いて転動レーンを転動するパチンコ玉を貯留部へ誘導するようにしたことにより、必要な数のパチンコ玉を貯留部に貯留させることが可能となる。
【００５５】
また、好ましくは、転動レーンとして複数のレーンを設け、これらの各々に膨出部を出没させることにより、一度に多くのパチンコ玉を処理することができる。複数の膨出部は、１つの貯留部に設けられており、複数のレーンから分岐レーンに誘導されたパチンコ玉は、それぞれ１つの上記貯留部に貯留される。
【００５６】
本発明のレーン切替装置は、前記構成に加えて、前記レーン切替機構部は、支点を回動中心として前記膨出部及び前記貯留部が配置されてなり、前記膨出部及び前記貯留部は、シーソ杆に連結されていることを特徴としている。
【００５７】
このレーン切替装置によれば、シーソ杆の作用により、膨出部を転動レーンへ出没させることができる。
【００５８】
本発明のレーン切替装置は、前記構成に加えて、前記シーソ杆は、前記パチンコ玉が前記貯留部に貯留されていない状態で前記膨出部が下方に位置するように、前記レーン切替機構部を付勢する重りを備えることを特徴としている。
【００５９】
このレーン切替装置によれば、重りの作用によって転動レーンへの膨出部の出没を制御することにより、膨出部の駆動源として例えばばね部材等を用いる場合に比べて、寿命を長くすることができる。
【００６０】
本発明のレーン切替装置は、前記構成に加えて、前記重りは前記シーソ杆に対して着脱自在であることを特徴としている
【００６１】
このレーン切替装置によれば、重りの重さを変更することにより、膨出部によって転動レーンが切り替わる際の貯留部のパチンコ玉の数を設定変更することが可能となる。
【００６２】
また、本発明の個別計数装置は、好ましくは、パチンコ遊技機から排出される遊技者の持ち玉を計数する個別計数装置であって、前記持ち玉の導入口と排出口との間に傾斜状に設けられる前記持ち玉の転動レーンと、前記転動レーンから当該転動レーンと直交成分を有して分岐し、前記持ち玉の貯留部と接続される貯留レーンと、前記転動レーンと前記貯留レーンとの分岐部分に設けられた前記転動レーンの底部の前記持ち玉よりも小さい幅の開口部と、前記持ち玉を誘導する平面視扇状の誘導面を有する膨出部が、前記貯留部へ誘導された持ち玉の総重量の作用により、前記開口部から前記転動レーンへ出没するレーン切替機構部と、を備え、前記レーン切替機構部は、支点を中心として前記膨出部及び前記貯留部が配置されてなり、前記膨出部及び前記貯留部は、シーソ杆に連結されていることを特徴としている。
【００６３】
この個別計数装置によれば、貯留部に貯留された持ち玉の総重量に応じて、レーン切替部に膨出部を出没させて、貯留部へ持ち玉を誘導するか否かを切り替えることができる。すなわち、貯留部の持ち玉が少なくなると、転動レーンから当該貯留部へ持ち玉を補充することができ、貯留部に持ち玉が溜まると、転動レーンを転動する持ち玉をそのまま回収用に排出させる。貯留部に補充された持ち玉は、その後、余り玉として遊技者へ払い出されることになる。このように、転動レーンに出没する膨出部を用いて転動レーンを転動する持ち玉を貯留部へ誘導するようにしたことにより、安定な動作により貯留部への持ち玉の誘導が可能となる。これにより、パチンコ遊技機から排出された遊技者の持ち玉を計数する際に、その一部を余り玉として貯留部に誘導して、必要に応じて遊技者に払い出すことが可能となる。
【００６４】
また、好ましくは、転動レーンとして複数のレーンを設け、これらの各々に膨出部を出没させることにより、一度に多くの持ち玉を処理することができる。複数の膨出部は、１つの貯留部に設けられており、複数のレーンから貯留レーンに誘導された持ち玉は、それぞれ１つの上記貯留部に貯留される。
【００６５】
本発明の個別計数装置は、前記構成に加えて、前記シーソ杆は、前記持ち玉が前記貯留部に貯留されていない状態で前記膨出部の側が下方に位置するように、前記レーン切替機構部を付勢する重りを備えることを特徴としている。
【００６６】
この個別計数装置によれば、重りの作用によって転動レーンへの膨出部の出没を制御することにより、膨出部の駆動源として例えばばね部材等を用いる場合に比べて、寿命を長くすることができる。
【００６７】
本発明の個別計数装置は、前記構成に加えて、前記重りは前記シーソ杆に対して着脱自在であることを特徴としている。
【００６８】
この個別計数装置によれば、重りの重さを変更することにより、膨出部によって転動レーンが切り替わる際の貯留部の持玉数を設定変更することが可能となる。
【００６９】
上記レーン切替装置及び当該レーン切替装置を設けた個別計数装置によれば、パチンコ玉の転動レーンを容易に切り替えることができる。すなわち、一般に個別計数装置やその他のパチンコ玉を扱う装置においては、転動レーンを転動するパチンコ玉を必要に応じて異なる方向へ分岐させることができれば、例えば、必要な数のパチンコ玉を仕分けること等、パチンコ玉の取り扱いを効率的に行うことができると考えられるが、本発明によれば、これらの目的を実現することができる。
【発明の効果】
【００７０】
本発明によれば、余り玉を供給するための機能を容易に追加することができる個別計数装置を提供することができる。
【図面の簡単な説明】
【００７１】
【図１】個別計数装置を装着した玉貸し装置（サンド）及びパチンコ遊技機を示す正面図である。
【図２】パチンコ遊技機及び個別計数装置を示す側面図である。
【図３】個別計数装置の外観を示す斜視図である。
【図４】個別計数装置の板状部材を取り外した状態を示す斜視図である。
【図５】個別計数装置の板状部材を取り外した状態を示す斜視図である。
【図６】個別計数装置を示す分解斜視図である。
【図７】個別計数装置を示す平面図である。
【図８】個別計数装置から板状部材を取り外した状態を示す上面図である。
【図９】転動レーンが設けられたカバーを取り外した状態を示す上面図である。
【図１０】通路部を拡大して示す斜視図である。
【図１１】通路部を拡大して示す斜視図である。
【図１２】玉詰まり防止機構部及び持ち上げ機構部（移送機構部）を示す斜視図である。
【図１３】持ち上げ機構部（移送機構部）の一方のロータ部材及び計数モータ等を取り外した状態を示す斜視図である。
【図１４】崩しカム板のカム板が設けられる側を示す斜視図である。
【図１５】カム板の回転による崩しカム板の往復運動を示す側面図である。
【図１６】玉詰まり防止機構部を示す平面図である。
【図１７】底板の裏面側を示す斜視図である。
【図１８】玉詰まり防止機構部を示す側面図である。
【図１９】崩し板を示す平面図である。
【図２０】玉詰まり防止機構部を示す平面図である。
【図２１】玉詰まり防止機構部を示す平面図である。
【図２２】底板の転動レーン及び排出部を示す部分的平面図である。
【図２３】底板の転動レーン及び排出部を示す斜視図である。
【図２４】切替部を含む排出部を示す斜視図である。
【図２５】底板の排出部を示す斜視図である。
【図２６】膨出部が第１レーン及び第２レーンの開口部を介して転動レーン内に下方から出没する状態を示す斜視図である。
【図２７】膨出部が第１レーン及び第２レーンの開口部を介して転動レーン内に下方から出没する状態を示す斜視図である。
【図２８】膨出部の構成を示す斜視図である。
【図２９】膨出部を有する余玉ケースを示す斜視図である。
【図３０】余玉ケースを示す正面図である。
【図３１】余玉ケースを示す正面図である。
【図３２】余玉ケースの全体構成を示す斜視図である。
【図３３】カバーを取り外した状態の余玉ケース及び排出機構部を示す斜視図である。
【図３４】排出機構部のカム部材の構成を示す斜視図である。
【図３５】カム部材によって最上部まで持ち上げられた持ち玉を排出するための押出し部材を示す斜視図である。
【図３６】載置部を示す斜視図である。
【図３７】図３６のＡ−Ａ線を断面にとって示す載置部の部分的断面図である。
【図３８】排出部に設けられた着脱機構部を示す斜視図である。
【図３９】ロックアームを示す斜視図である。
【図４０】個別計数装置の着脱機構部とサンドの着脱部との装着方法の説明に供する概念図である。
【図４１】個別計数装置の制御部及び周辺機器を示す略線図である。
【図４２】制御部の構成を示すブロック図である。
【図４３】サンドを示す略線図である。
【図４４】情報カードの記憶領域を示す略線図である。
【図４５】制御部のＣＰＵによる制御処理手順を示すフローチャートである。
【図４６】受信情報表示処理（ステップＳ２０）の処理手順を示すフローチャートである。
【図４７】計数処理（ステップＳ３０）における処理手順を示すフローチャートである。
【図４８】持玉払出処理（ステップＳ５０）における処理手順を示すフローチャートである。
【図４９】パチンコ遊技機、サンド及び個別計数装置の処理を示すタイミングチャートである。
【図５０】計数処理及び持玉払出処理をサンドの制御により実行する場合における、パチンコ遊技機、サンド及び個別計数装置の処理を示すタイミングチャートである。
【図５１】サンドにおける計数処理（ステップＳ２１１）の詳細を示すフローチャートである。
【図５２】サンドにおける持玉払出処理（ステップＳ２１２）の詳細を示すフローチャートである。
【図５３】個別計数装置における余玉払出処理（ステップＳ５１６）を示すフローチャートである。
【発明を実施するための形態】
【００７２】
（実施の形態の構成）
本発明の遊技機に係る実施の形態について、以下図面を参照しながら説明する。図１は、本実施の形態における個別計数装置を装着した玉貸し装置（サンド）及びパチンコ遊技機を示す正面図であり、図２は、パチンコ遊技機１０及び個別計数装置５０を示す側面図である。
【００７３】
図１に示すように、パチンコ遊技機１０には、それぞれ、サンド２０が併設されており、各サンド２０には、個別計数装置５０が装着されている。各サンド２０は、隣接するパチンコ遊技機１０に対応して設置されており、対応する当該パチンコ遊技機１０との間で通信可能に接続されている。また各サンド２０は、ホール全体のサンド２０のシステム管理や売り上げ管理を行うコントローラ（図示せず）に対して通信可能に接続されている。
【００７４】
各サンド２０には、例えばホールのカード発行機（図示せず）によって発行された情報カードを受け付け可能なカード挿入口３６Ａ、紙幣を投入可能な紙幣投入口３５Ａ及びテンキー操作ユニット３７等が設けられている。
【００７５】
遊技者は、情報カード又は所定金額の紙幣を、カード挿入口３６Ａ又は紙幣投入口３５Ａに投入することで、遊技に必要な遊技媒体としてのパチンコ玉の貸し出しを受けることができる。
【００７６】
この場合、サンド２０は、併設されたパチンコ遊技機１０に対して、投入金額に応じた数のパチンコ玉又は情報カードを介して指定された数のパチンコ玉を払い出す旨の指示を与えることにより、パチンコ遊技機１０においては、投入金額に応じた数のパチンコ玉がその上皿１２に払い出されるようになっている。これにより、遊技者は、払い出されたパチンコ玉を用いて遊技を行うことができる。
【００７７】
各サンド２０には、個別計数装置５０を着脱可能とする着脱部２８が設けられており、個別計数装置５０側の着脱機構部９０（後述）を介して個別計数装置５０を装着することができるようになっている。サンド２０の着脱部２８に個別計数装置５０の着脱機構部９０が装着されると、個別計数装置５０とサンド２０とは、コネクタ（後述する個別計数装置５０側のコネクタ部９２及びサンド２０側のコネクタ２９）を介して互いに通信可能に接続されることになる。
【００７８】
図１及び図２に示すように、各個別計数装置５０は、サンド２０に対応するパチンコ遊技機１０の下皿１３の下方に設けられている。すなわち、パチンコ遊技機１０には、遊技者の側（前方）に迫り出した迫出部１５が設けられており、遊技者がタバコ等の所持品を置くことができるようになされている。この迫出部１５に個別計数装置５０が載置されている。
【００７９】
個別計数装置５０は、全体が略直方体形状で構成されており、その上面部には、下皿１３の底面部に設けられた開閉シャッタが設けられた開口部１４を介して排出されたパチンコ玉（遊技者の持ち玉）を導入する導入開口部５５が設けられている。
【００８０】
個別計数装置５０は、この導入開口部５５を介して導入された持ち玉の数を計数する。サンド２０は、個別計数装置５０から計数結果を受信すると、遊技者の持ち玉の数として、このとき挿入されている情報カードに当該持ち玉数を記憶する。このように、パチンコ遊技機１０の下皿１３から排出された遊技者の持ち玉の数は、情報カードに情報として記憶される。計数が終了した持ち玉は、個別計数装置５０の排出部５２から着脱機構部９０及び着脱部２８を介してサンド２０に排出され、その後、サンド２０から回収用のいわゆるどぶへ排出される。かくして、遊技者の持ち玉は、従来用いられていた玉箱に貯留されることなく、情報として情報カードに記憶される。
【００８１】
個別計数装置５０には、計数された持ち玉を、再度遊技に用いるための持玉払出ボタン３０８（後述）が設けられており、遊技者がこの操作ボタンを操作すると、当該操作結果は、個別計数装置５０からサンド２０に送信される。この操作結果を受信したサンド２０では、当該サンド２０に挿入されている情報カードに記憶された数の持ち玉を払い出す旨の指示をパチンコ遊技機１０に送信する。なお、サンド２０では、所定の金額単位（例えば５００円単位等）でパチンコ玉を貸し出すようになされているため、当該金額に応じた貸し出し数単位でパチンコ遊技機１０へ払い出しの指示を行う。このため、情報カードに記憶されている持玉数に、サンド２０からパチンコ遊技機１０へ払い出しの指示を行う単位数で割り切れない端数がある場合、この端数分は、個別計数装置５０の載置部１７０（後述）に余り玉として払い出すようになされている。これにより情報カードに記憶された遊技者の持ち玉数のデータに応じて、パチンコ遊技機１０（上皿１２）と、個別計数装置５０の載置部１７０とに振り分けられて払い出されるようになされている。
【００８２】
以下、個別計数装置５０の詳細構成について説明する。
図３は、個別計数装置５０の外観を示す斜視図である。図３に示すように、個別計数装置５０は、略直方体形状に形成された本体部５１と、持ち玉をサンド２０（図１）の導入口（図示せず）へ排出するため排出部５２と、導入開口部５５から排出部５２へパチンコ玉（持ち玉）を移動させる転動部１００とを有している。本体部５１の上面部には、上述した導入開口部５５が設けられており、また、排出部５２には、導入開口部５５を介して導入されたパチンコ玉（持ち玉）をサンド２０に排出するための排出口５４が設けられている。この排出口５４の近傍には、個別計数装置５０をサンド２０に対して着脱するための着脱機構部９０が設けられている。この着脱機構部９０は、先端部が下方に屈曲したロックアーム９１を有している。このロックアーム９１は、先端部が上下に回動するようになされており、サンド２０の係合部（図示せず）へ係合可能となっている。また、着脱機構部９０には、個別計数装置５０の制御部（後述）と、サンド２０との間でデータを送受信するためのコネクタ部９２が設けられており、サンド２０側のコネクタ２９（図４０、図４３）と接続するようになされている。着脱機構部９０については後述する。
【００８３】
この着脱機構部９０によって個別計数装置５０をサンド２０に装着した状態において、個別計数装置５０の本体部５１の上面部に設けられた導入開口部５５は、パチンコ遊技機１０の下皿１３の底面部に設けられた開閉シャッタが設けられた開口部１４の下方に配置されるように、着脱機構部９０及び導入開口部５５の位置が決められている。
【００８４】
本体部５１の上面部に設けられた導入開口部５５の周囲は、当該導入開口部５５に向かって傾斜した傾斜部５６が設けられており、パチンコ遊技機１０から排出された持ち玉が導入開口部５５から外れて落下しても、これを受けて導入開口部５５へ導くようになされている。なお、傾斜部５６は、導入開口部５５の上部から被せられる１つの板状部材５７によって構成されている。
【００８５】
本体部５１の内部には、導入開口部５５を介して導入された持ち玉を一時貯留するための一時貯留部（ホッパーユニット）６０が設けられている。図４及び図５は、個別計数装置５０の板状部材５７を取り外した状態を示す斜視図であり、一時貯留部６０は、最も低い位置に形成された底面部６４と、この底面部６４に向かって漸次に低くなるように傾斜した傾斜面部６５、６６と、底面部６４に続く一段下がった通路部６８とを有している。導入開口部５５を介して一時貯留部６０に落下した持ち玉は、傾斜面部６５、６６を傾斜に沿って転動し、底面部６４に集められる。この底面部６４に集められた持ち玉は、さらに、一段下がった通路部６８へと転動して行くことになる。
【００８６】
図６は、個別計数装置５０を示す分解斜視図である。図６に示すように、通路部６８は、側壁部６９によって一定幅の経路を形成しており、持ち玉Ｔは、この通路に沿って、持ち上げ機構部（移送機構部）７０へと導かれるようになされている。
【００８７】
通路部６８には、一時貯留部６０から持ち上げ機構部７０へ導かれる持ち玉Ｔの玉詰まりを防止する玉詰まり防止機構部８０が設けられている。この玉詰まり防止機構部８０には、通路部６８において、水平方向に動作する崩し板（玉詰まり防止部材）８１が設けられている。この崩し板８１は、持ち上げ機構部７０の駆動源である計数モータ７７によって駆動される。この崩し板８１の動作によって、通路部６８での玉詰まりが防止される（後述）。
【００８８】
持ち上げ機構部７０は、持ち玉Ｔを一定の高さまで移送する機構であり、本実施の形態の場合、持ち玉Ｔを保持するロータ部材７３、７４を回転することによって、このロータ部材７３、７４に保持された持ち玉Ｔを一定高さまで持ち上げるようになされている。ロータ部材７３、７４には、当該ロータ部材７３、７４の外形に沿ってガイド板７５が設けられており、ロータ部材７３、７４に保持された持ち玉Ｔが脱落しないようにこれをガイドするようになされている。ロータ部材７３、７４は、計数モータ７７によって回転駆動されるように構成されている。計数モータ７７は、個別計数装置５０の内部に設けられた制御部３０１（図２６、図２７）によって回転制御され、制御部からの駆動信号によって回転制御される。
【００８９】
因みに、本実施の形態の場合、２列に併設されたロータ部材７３、７４を用いることにより、持ち玉Ｔの持ち上げルートを２列確保し、さらに排出部５２まで２列のルートで持ち玉Ｔを排出する構成となっている。これにより、多くの持ち玉Ｔを短時間で計数及び排出処理することができる。
【００９０】
上述した持ち上げ機構部７０は、本体部５１の一方の端部に設けられ、また、排出部５２は、一時貯留部６０を挟んで他方の端部に設けられている。そして、本体部５１には、持ち上げ機構部７０によって持ち上げられた持ち玉Ｔを排出部５２へ導く転動部１００が一時貯留部６０を跨ぐように設けられている。
【００９１】
この転動部１００は、持ち上げ機構部７０によって本体部５１の内部において高い位置まで持ち上げられた持ち玉Ｔを、低い位置に設けられた排出部５２へ傾斜を利用して導くようになされている。すなわち、図４及び図５に示すように、転動部１００は、持ち上げ機構部７０によって持ち上げられた持ち玉を、排出部５２へ転動させる転動レーン１０１を有している。排出部５２における持ち玉の排出口５４（図５）は、持ち上げ機構部７０によって持ち上げられた持ち玉の位置よりも低い位置に設けられており、その間に配置された転動レーン１０１は、持ち上げ機構部７０から排出口５４にかけて漸次に低くなるように傾斜している。これにより、持ち上げ機構部７０によって持ち上げられた持ち玉Ｔは、転動レーン１０１を排出口５４へと転動するようになされている。この転動レーン１０１においても、持ち玉Ｔを転動させる２つのレーン（第１レーン１０１Ａ及び第２レーン１０１Ｂ）が設けられており、これら２つのレーンで効率よく持ち玉Ｔを排出部５２へ転動させるようになされている。
【００９２】
図６に示すように、転動レーン１０１は、個別計数装置５０のカバー１１０に形成されており、当該カバー１１０と底板１２０とを係合させた状態において、底板１２０に形成された転動レーン１２１と接続されるようになっている。これにより、持ち上げ機構部７０によって持ち上げられた持ち玉Ｔは、カバー１１０の転動レーン１０１と、底板１２０の転動レーン１２１とを転動して、排出部５２へ導かれる。この転動レーン１２１においても、持ち玉Ｔを転動させる２つのレーン（第１レーン１２１Ａ及び第２レーン１２１Ｂ）が設けられており、これら２つのレーンで効率よく持ち玉Ｔを排出させるようになされている。
【００９３】
次に、通路部６８における玉詰まりを防止する玉詰まり防止機構部８０について説明する。まず、通路部６８について説明する。図７は、個別計数装置５０の平面図である。図７に示すように、個別計数装置５０では、その上面部に導入開口部５５を有しており、この導入開口部５５を介して、パチンコ遊技機１０（図１）の下皿１３から排出された持ち玉Ｔを一時貯留部６０に貯留するようになされている。一時貯留部６０は、底面部６４と、当該底面部６４に向かって漸次にその床面が低くなるように傾斜した傾斜面部６５、６６を有しており、導入開口部５５を介して傾斜面部６５に落下した持ち玉は、当該傾斜面部６５をその傾斜方向（矢印ｈ１方向）へ転動する。また、導入開口部５５を介して傾斜面部６６に落下した持ち玉は、当該傾斜面部６６をその傾斜方向（矢印ｈ２方向）へ転動する。これにより、導入開口部５５を介して一時貯留部６０内へ落下した持ち玉Ｔは、底面部６４に集められる。
【００９４】
底面部６４は、一時貯留部６０の一方の縁部に向かって（矢印ｈ３方向）漸次にその床面が低くなるように傾斜しており、この底面部６４に集められた持ち玉Ｔは、当該底面部６４を傾斜方向（矢印ｈ３方向）へ転動する。この底面部６４において持ち玉Ｔが転動する先には、上部を転動部１００の転動レーン１０１が掛け渡された通路部６８が設けられている。
【００９５】
図８は、個別計数装置５０から板状部材５７を取り外した状態を示す上面図である。図８に示すように、一時貯留部６０の一方の縁部には、持ち上げ機構部７０及び転動レーン１０１が設けられており、一時貯留部６０の底面部６４を転動する持ち玉Ｔは、転動レーン１０１の下部の領域に誘導されることになる。
【００９６】
この転動レーン１０１の下部の領域は、一時貯留部６０の底面部６４を転動した持ち玉Ｔを持ち上げ機構部７０の方向に転動させるための通路部６８（図９）となっている。図９は、転動レーン１０１が設けられたカバー１１０を取り外した状態を示す上面図である。図９に示すように、転動レーン１０１の下方には、上述したように、一時貯留部６０の底面部６４を転動した持ち玉Ｔを、持ち上げ機構部７０へ誘導する通路部６８が設けられている。この通路部６８は、底面部６４に対して段差部６８Ｄによって一段下がった床面を有しており、さらに、この床面は、持ち上げ機構部７０の方向（矢印ｈ４方向）へ漸次にその床面が低くなるように傾斜している。これにより、底面部６４から通路部６８へ転動した持ち玉Ｔは、さらに通路部６８の傾斜によって、持ち玉機構部７０へと転動する。すなわち、一時貯留部６０における持ち玉Ｔの転動方向（矢印ｈ３方向）に対して、通路部６８における持ち玉Ｔの転動方向（矢印ｈ４方向）は、異なる方向となっており、底面部６４を転動した持ち玉Ｔは、通路部６８においてその転動方向を変えて持ち上げ機構部７０へ誘導されるようになされている。
【００９７】
このように、本実施の形態における個別計数装置５０においては、一方の縁部に沿って転動レーン１０１を配置することで、導入開口部５５を避けて当該転動レーン１０１を設けることができ、このように転動レーン１０１の配置に応じて、当該転動レーン１０１に持ち玉Ｔを持ち上げるための持ち上げ機構部７０を個別計数装置５０の本体部５１の隅部に配置することになる。また、持ち上げ機構部７０は、ロータ部材７３、７４を回転させることによって持ち玉Ｔを持ち上げて転動レーン１０１に受け渡すようになされているため、ロータ部材７３、７４から転動レーン１０１に排出される方向を、転動レーン１０１の転動方向と一致させることで、持ち玉Ｔを円滑に転動レーン１０１に受け渡すことができる。このようにロータ部材７３、７４を配置した場合、当該ロータ部材７３、７４に対して一時貯留部６０の持ち玉Ｔを円滑に導入させようとすると、持ち玉Ｔをロータ部材７３、７４の回転方向に沿って転動させながら導入することが望ましい。従って、通路部６８は、本体部５１の縁部に沿って、ロータ部材７３、７４に向かって矢印ｈ４方向に真直ぐに持ち玉Ｔが転動するような経路となっている。
【００９８】
このように本体部５１の縁部に沿って設けられた通路部６８に対して、一時貯留部６０の持ち玉Ｔを導入させる場合には、当該持ち玉Ｔの転動方向が、底面部６４における転動方向（矢印ｈ３方向）から、通路部６８における転動方向（矢印ｈ４方向）に変化することになる。玉詰まり防止機構部８０は、この転動方向が変化する領域において、発生し易い持ち玉Ｔの玉詰まりを防止するようになされている。
【００９９】
図１０及び図１１は、通路部６８を拡大して示す斜視図であり、図１０及び図１１に示すように、通路部６８は、一時貯留部６０の底面部６４を転動して来た持ち玉Ｔの転動方向が変化する領域に設けられた側壁６８Ｃと、当該領域から持ち上げ機構部７０における持ち玉Ｔの持ち上げ開始位置までの経路の両側に設けられた側壁６８Ａ、６８Ｂとを有している。一時貯留部６０の底面部６４を転動して来た持ち玉Ｔは、通路部６８に入ると、通路部６８の床面の傾斜と側壁６８Ｃとによってその転動方向を矢印ｈ４で示す持ち上げ機構部７０に向かう方向へ変化させ、その後、両側を側壁６８Ａ、６８Ｂによって規制された通路部６８に沿って持ち上げ機構部７０に向かって転動することになる。すなわち、側壁６８Ｃ、６８Ａ及び６８Ｂによって囲まれた通路部６８は、矢印ｈ３方向から矢印ｈ４方向へと転動方向を変化する持ち玉Ｔの屈曲した転動経路を形成する。
【０１００】
玉詰まり防止機構部８０は、側壁６８Ｃに沿って往復運動する崩し板８１と、当該通路部６８の入り口付近で玉詰まりを起こした複数の持ち玉Ｔに対して、傾斜した先端部８３Ｂから分け入る崩しカム板８３とを有している。この崩し板８１及び崩しカム板８３は、持ち上げ機構部７０の駆動源である計数モータ７７によって駆動されるように構成されている。
【０１０１】
図１２は、玉詰まり防止機構部８０及び持ち上げ機構部７０を示す斜視図である。図１２に示すように、玉詰まり防止機構部８０の崩しカム板８３は、持ち上げ機構部７０のロータ部材７３、７４の回転に伴って、通路部６８の持ち玉Ｔの転動方向（図９〜図１１に示した矢印ｈ４方向）及びこれとは反対方向である矢印ｄ方向に往復運動するようになっている。
【０１０２】
崩しカム板８３には、リンク部材８４を介して崩し板８１が係合されており、崩しカム板８３の往復運動に伴って、崩し板８１が側壁６８Ｃ（図１０、図１１）に沿った矢印ｅ方向に往復運動するようになされている。
【０１０３】
図１３は、持ち上げ機構部７０の一方のロータ部材７４及び計数モータ７７等を取り外した状態を示す斜視図である。図１３に示すように、崩しカム板８３においては、持ち上げ機構部７０と係合される部分に長孔８３Ａが形成されており、この長孔８３Ａに持ち上げ機構部７０の回転軸７６が挿入されている。回転軸７６には、持ち上げ機構部７０のロータ部材７３、７４（図１２）が嵌合されており、計数モータ７７の回転によって回転軸７６が回転すると、これに伴ってロータ部材７３、７４が回転する。この回転軸７６には、玉詰まり防止機構部８０を構成するカム板８５が嵌合され、回転軸７６と共に回転するようになされている。
【０１０４】
図１４は、崩しカム板８３のカム板８５が設けられる側を示す斜視図である。図１４に示すように、カム板８５は、円盤形状に形成されており、中心からずれた位置に回転軸７６（図１３）を嵌合する嵌合孔８５Ａが形成されている。これにより、回転軸７６の回転に伴って、カム板８５が回転軸７６を中心にして偏心した状態で回転するようになっている。
【０１０５】
崩しカム板８３には、カム板８５を収納可能な間隔を隔てて上下方向に延設された突状のガイド部８３Ｃ、８３Ｄが設けられており、このガイド部８３Ｃ、８３Ｄ間にカム板８５が配置される。これにより、図１５（ａ）、（ｂ）に示すように、カム板８５が回転すると、当該カム板８５の外周部によって、崩しカム板８３のガイド部８３Ｃ、８３Ｄが交互に押され、崩しカム板８３が矢印ｄ１方向及び矢印ｄ２方向に往復運動する。崩しカム板８３が往復運動すると、これに伴って、崩し板８１も矢印ｅ１方向及び矢印ｅ２方位に往復運動する。
【０１０６】
因みに、図１６は、玉詰まり防止機構部８０を示す平面図である。図１６に示すように、崩しカム板８３は、通路部６８において、持ち上げ機構部７０へ持ち玉Ｔを転動させる方向ｈ４方向（図９〜図１１）に沿って設けられ、当該転動方向（矢印ｈ４方向）に沿って往復運動するようにされている。また、崩し板８１は、通路部６８の入り口に設けられ持ち玉Ｔの転動方向が変化する位置に設けられた側壁６８Ｃに沿って往復運動するように構成されている。
【０１０７】
また、図１７は、底板１２０の裏面側を示す斜視図であり、玉詰まり防止機構部８０のリンク部材８４は、底板１２０の裏面側に配置されており、崩しカム板８３との係合部をガイドするガイド孔１２０Ａと、崩し板８１との係合部をガイドするガイド孔１２０Ｂとを有している。ガイド孔１２０Ａは、崩しカム板８３の往復運動の方向に延設されており、またガイド孔１２０Ｂは、崩し板８１の往復運動の方向に延設されている。
【０１０８】
また、図１８は、玉詰まり防止機構部８０を示す側面図である。図１８に示すように、崩しカム板８３、リンク部材８４及び崩し板８１は、底板１２０に形成され通路部６８の矢印ｈ４方向への傾斜に応じて角度θだけ傾斜した状態となっている。
【０１０９】
図１９は、崩し板８１を示す平面図である。図１９に示すように、崩し板８１の通路部６８側の側面（すなわち、持ち玉Ｔが接する側の側面）には、持ち玉Ｔの直径以上の間隔Ｌで複数の突起部８１Ａが形成されている。この崩し板８１は、突起部８１Ａの間隔以上の振幅で往復運動するようになされており、この往復運動によって突起部８１Ａが持ち玉Ｔを押すことにより、通路部６８に詰まった持ち玉Ｔの詰まりを解消するようになされている。
【０１１０】
図２０及び図２１は、玉詰まり防止機構部８０を示す平面図であり、図２０に示すように、一時貯留部６０から通路部６８を介して持ち玉Ｔが円滑に転動している場合、持ち玉Ｔは、底面部６４から、通路部６８の入り口で方向を変えて、持ち上げ機構部７０の方向へ転動する。
【０１１１】
これに対して、図２１に示すように、持ち玉Ｔがその転動方向を変化させる通路部６８の入り口付近で、多くの持ち玉Ｔが集中した場合、玉詰まり防止機構部８０の崩しカム板８３が往復運動することにより、その先端部８３Ｂが持ち玉Ｔの集中した中に分け入ることにより、この集中状態を崩し、さらに、崩し板８１が往復運動することにより、その突起部８１Ａによって、側壁６８Ｃに沿って集中した持ち玉Ｔを強制的に動かすことにより、持ち玉Ｔが集中してもこれらが玉詰まりを起こすことを防止することができる。
【０１１２】
また、崩しカム板８３は、通路部６８を二分するように設けられており、この崩しカム板８３を境にして、持ち上げ機構部７０のロータ部材７３側及びロータ部材７４側へ持ち玉Ｔを誘導するようになっている。これにより、持ち玉Ｔが一列になって、ロータ部材７３、７４へ各々転動することとなり、円滑にロータ部材７３、７４へ受け渡されることになる。
【０１１３】
図２２は、底板１２０の転動レーン１２１及び排出部５２を示す部分的平面図であり、図２３は、当該部分を示す斜視図である。図２２及び図２３に示すように、転動レーン１２１は、排出部５２を介して排出口５４へと続いており、転動レーン１２１を転動する持ち玉Ｔは、排出部５２を介して排出口５４からサンド２０へと排出される。
【０１１４】
排出部５２においては、第１レーン１２１Ａを転動する持ち玉を検出する第１レーン用の計数センサ１２２Ａ、１２２Ｂと、第２レーン１２１Ｂを転動する第２レーン用の計数センサ１２３Ａ、１２３Ｂとが設けられている。
【０１１５】
計数センサ１２２Ａ、１２２Ｂ、１２３Ａ、１２３Ｂは、例えば磁気センサ等であり、磁性材料であるパチンコ玉が通過した場合に、当該通過に応じた信号を出力するようになされている。本実施の形態の場合、各レーンにおいて２つの計数センサが上流側及び下流側に配置されている。すなわち、第１レーン１２１Ａでは、計数センサ１２２Ａが上流側に配置され、計数センサ１２２Ｂが下流側に配置されている。持ち玉（パチンコ玉）の直径は5.5〔mm〕であり、計数センサ１２２Ａ及び１２２Ｂの検出間隔は、3.5〔mm〕に設定されている。 また、第２レーン１２１Ｂにおいても同様にして、計数センサ１２３Ａが上流側に配置され、計数センサ１２３Ｂが下流側に配置されており、これら計数センサ１２２Ａ及び１２２Ｂの検出間隔は、3.5〔mm〕に設定されている。
【０１１６】
このように、第１レーン１２１Ａにおいて、上流側と下流側に計数センサ１２２Ａ及び１２２Ｂを併設することにより、正常状態として、第１レーン１２１Ａを持ち玉Ｔが上流から下流に向かって転動する場合には、上流側の計数センサ１２２Ａにおいて持ち玉Ｔの検出信号が得られた後、計数センサ１２２Ａと計数センサ１２２Ｂとの検出間隔に応じたタイミングで、下流側の計数センサ１２２Ｂにおいて持ち玉Ｔの検出信号が得られる。この検出信号を制御部において検出することにより、持ち玉Ｔが第１レーン１２１Ａを正常に転動していることを識別することができ、この状態での検出結果によって持ち玉Ｔを計数するようになされている。
【０１１７】
また、第２レーン１２１Ｂにおいても同様にして、上流側と下流側に計数センサ１２３Ａ及び１２３Ｂを併設することにより、正常状態として、第２レーン１２１Ｂを持ち玉Ｔが上流から下流に向かって転動する場合には、上流側の計数センサ１２３Ａにおいて持ち玉Ｔの検出信号が得られた後、計数センサ１２３Ａと計数センサ１２３Ｂとの検出間隔に応じたタイミングで、下流側の計数センサ１２３Ｂにおいて持ち玉Ｔの検出信号が得られる。この検出信号を制御部において検出することにより、持ち玉Ｔが第２レーン１２１Ｂを正常に転動していることを識別することができ、この状態での検出結果によって持ち玉Ｔを計数するようになされている。
【０１１８】
これに対して、例えば、何らかの原因により持ち玉Ｔがレーンを逆行した場合には、下流側の計数センサ１２２Ｂ又は１２３Ｂが先に持ち玉Ｔを検出することになるので、持ち玉Ｔの不正常な逆行状態を検出することができ、この場合には、何らかの不正常な状態となっていることが想定されるので、持ち玉Ｔの計数を行わずに、エラー表示等の警告表示を行うようになされている。
【０１１９】
また、計数センサ１２２Ａ、１２２Ｂ、１２３Ａ、１２３Ｂは、持ち玉Ｔの数を計数するためのセンサであるため、このセンサ近傍に針金のような金属体を近づけることで、不正に持ち玉Ｔの計数結果を増やそうとする行為が行われる可能性もあるが、この場合には、第１レーン１２１Ａにあっては、上流側の計数センサ１２２Ａの検出結果と下流側の計数センサ１２２Ｂの検出結果とが、正常な転動時の検出結果とはならず、また、第２レーン１２１Ｂにあっては、上流側の計数センサ１２３Ａの検出結果と下流側の計数センサ１２３Ｂの検出結果とが、正常な転動時の検出結果とはならないことにより、不正常な検出状態であるとして、計数を停止したり、所定のエラー表示を行う等して、不正行為による計数を回避することができるようになされている。
【０１２０】
なお、本実施の形態の場合、第１レーン１２１Ａ及び第２レーン１２１Ｂの各々において、さらに下流側に予備センサ１２４及び１２５が設けられており、転動レーン１２１Ａ、１２１Ｂを転送してきた持ち玉Ｔの数と、排出口５４から排出される持ち玉Ｔの数とを検出しながら、不正常な状態の発生がないかを監視している。
【０１２１】
すなわち、第１レーン１２１Ａを転動した持ち玉Ｔは、後述する第１分岐レーン（貯留レーン）１３５Ａに誘導されない場合には、そのまま第１レーン１２１Ａを排出口５４まで転動することになる。この場合、上述した計数センサ１２２Ａ、１２２Ｂの下流側に設けられた予備センサ１２４によっても持ち玉Ｔの通過が検出される。これにより、上流側の計数センサ１２２Ａ、１２２Ｂにおいて検出された結果と、下流側の予備センサ１２４において検出された結果とを制御部（後述）によって監視することにより、これらが一致しない場合には、何らかの不正行為や異常が発生しているものと判断することができ、計数を停止したり、エラー表示を行う等の対策を実施することができる。第２レーン１２１Ｂについても同様にして、第２レーン１２１Ｂを転動した持ち玉Ｔは、後述する第２分岐レーン（貯留レーン）１３５Ｂに誘導されない場合には、そのまま第２レーン１２１Ｂを排出口５４まで転動することになる。この場合、上述した計数センサ１２３Ａ、１２３Ｂの下流側に設けられた予備センサ１２５によっても持ち玉Ｔの通過が検出される。これにより、上流側の計数センサ１２３Ａ、１２３Ｂにおいて検出された結果と、下流側の予備センサ１２５において検出された結果とを制御部（後述）によって監視することにより、これらが一致しない場合には、何らかの不正行為や異常が発生しているものと判断することができ、計数を停止したり、エラー表示を行う等の対策を実施することができる。
【０１２２】
次に、排出部５２における切替部１３０について説明する。図２４は、切替部１３０を含む排出部５２を示す斜視図である。図２４に示すように、排出部５２における転動レーン１２１の途中には、転動レーン１２１（第１レーン１２１Ａ，１２１Ｂ）を転動する持ち玉Ｔを、当該転動レーン１２１と直交成分を有して選択的に分岐させる切替部１３０が設けられており、転動レーン１２１を転動する持ち玉Ｔを、排出口５４ではなく、貯留部１６０へ選択的に分岐させるようになされている。
【０１２３】
図２５は、底板１２０の排出部５２を示す斜視図であり、切替部１３０においては、転動レーン１２１の第１レーン１２１Ａ及び第２レーン１２１Ｂの各々の底部に開口部１３１Ａ及び１３１Ｂが形成されている。この開口部１３１Ａ、１３１Ｂの幅は、持ち玉Ｔの直径よりも小さい大きさで形成されており、第１レーン１２１Ａ及び第２レーン１２１Ｂを転動する持ち玉Ｔがこの開口部１３１Ａ、１３１Ｂから落下しないようになされている。
【０１２４】
切替部１３０では、この開口部１３１Ａ、１３１Ｂが設けられた位置において、第１レーン１２１Ａと直交成分を有して分岐する第１分岐レーン１３５Ａが設けられていると共に、第２レーン１２１Ｂと直交成分を有して分岐する第２分岐レーン１３５Ｂが設けられている。切替部１３０においては、開口部１３１Ａ及び１３１Ｂの下方から転動レーン１２１に対して出没する平面視扇状の誘導面１４２Ａ、１４２Ｂ（図２８）を有する膨出部１４１Ａ、１４１Ｂ（図２６及び図２７）により、持ち玉Ｔが転動レーン１２１を直進して排出口５４から排出されるようにするか、又は、分岐レーン（第１分岐レーン１３５Ａ、第２分岐レーン１３５Ｂ）に進入させるかを制御する。
【０１２５】
図２６及び図２７は、膨出部１４１Ａ及び１４１Ｂが第１レーン１２１Ａ及び第２レーン１２１Ｂの開口部１３１Ａ及び１３１Ｂを介して転動レーン内に下方から出没する状態を示す斜視図である。
【０１２６】
図２６は、開口部１３１Ａ及び１３１Ｂを介して、膨出部１４１Ａ及び１４１Ｂが第１レーン１２１Ａ及び第２レーン１２１Ｂ内に上昇した状態を示し、図２７は、膨出部１４１Ａ及び１４１Ｂが第１レーン１２１Ａ及び第２レーン１２１Ｂから開口部１３１Ａ及び１３１Ｂを介して下方に退避した状態を示す。
【０１２７】
図２８に示すように、膨出部１４１Ａの誘導面１４２Ａは、平面視扇状に形成されており、持ち玉（パチンコ玉）Ｔを第１分岐レーン１３５Ａに誘導するための曲面により構成されている。また、膨出部１４１Ｂの誘導面１４２Ｂは、平面視扇状に形成されており、持ち玉（パチンコ玉）Ｔを第２分岐レーン１３５Ｂに誘導するための曲面により構成されている。
【０１２８】
これにより、図２６に示すように、膨出部１４１Ａ及び１４１Ｂが第１レーン１２１Ａ及び第２レーン１２１Ｂ内に上昇すると、膨出部１４１Ａの誘導面１４２Ａによって、第１レーン１２１Ａを転動する持ち玉Ｔは、第１分岐レーン１３５Ａへ誘導され、また、膨出部１４１Ｂの誘導面１４２Ｂによって、第２レーン１２１Ｂを転動する持ち玉Ｔは、第２分岐レーン１３５Ｂへ誘導される。第１分岐レーン１３５Ａ及び第２分岐レーン１３５Ｂに誘導された持ち玉Ｔは、貯留部１６０の余玉ケース１４０に貯留される。
【０１２９】
これに対して、図２７に示すように、膨出部１４１Ａ及び１４１Ｂが降下して第１レーン１２１Ａ及び第２レーン１２１Ｂから退避すると、第１レーン１２１Ａを転動する持ち玉Ｔは、膨出部１４１Ａに誘導されることなく、そのまま排出口５４まで第１レーン１２１Ａを転動し、また、第２レーン１２１Ｂを転動する持ち玉Ｔは、膨出部１４１Ｂに誘導されることなく、そのまま排出口５４まで第２レーン１２１Ｂを転動する。
【０１３０】
ここで、膨出部１４１Ａ及び１４１Ｂを出没動作させるための機構について説明する。図２９に示すように、膨出部１４１Ａ及び１４１Ｂは、余玉ケース１４０の一部に設けられている。余玉ケース１４０は、周囲を側壁１４５によって囲まれた貯留領域１４６を有しており、第１分岐レーン１３５Ａ及び第２分岐レーン１３５Ｂに誘導された持ち玉Ｔをこの貯留領域１４６に貯留するようになされている。
【０１３１】
膨出部１４１Ａ及び１４１Ｂの出没動作は、この余玉ケース１４０を傾けることによって、実現される。図３０及び図３１は、余玉ケース１４０を示す正面図である。図３０及び図３１に示すように、余玉ケース１４０は、その一方の側縁部に膨出部１４１Ａ及び１４１Ｂを有しており、他方の側縁部に沿って設けられた軸部材１４８を中心に（支点として）回動可能に枢支されている。すなわち、軸部材（支点）１４８を回動中心にして、一方の側に膨出部１４１Ａ、１４１Ｂ及び持ち玉Ｔの貯留部１６０が設けられている。
【０１３２】
余玉ケース１４０の下方には、シーソ杆としての杆板１４９が軸部材１５１を中心に回動可能に枢支されている。杆板１４９は、その一方の側縁部１４９Ａに重り１５２が固定されており、軸部材１５１を挟んで他方の側縁部１４９Ｂは曲面形状に形成され、杆板１４９の回動に伴って、余玉ケース１４０の底面部に下方から当接するようになっている。この当接位置は、膨出部１４１Ａ及び１４１Ｂが設けられた側縁部と、軸部材１４８が設けられた側縁部との間である。なお、重り１５２は、交換可能となっており、この重り１５２の重量によって、膨出部１４１Ａ、１４１Ｂが転動レーン１２１へ出没する場合の貯留部１６０の持玉数を設定することができる。すなわち、重り１５２の重量が軽い場合には、貯留部１６０に貯留された持ち玉の数が少なくても膨出部１４１Ａ、１４１Ｂが降下して転動レーン１２１から退避し、これに対して重り１５２の重量が重い場合には、貯留部１６０に貯留された持ち玉の数が多くならないと膨出部１４１Ａ、１４１Ｂが転動レーン１２１から退去しないこととなる。
【０１３３】
図３０に示すように、余玉ケース１４０に貯留された持ち玉（パチンコ玉）Ｔの数が所定数に満たない場合、重り１５２の重さが余玉ケース１４０に貯留された持ち玉Ｔの重さに打ち勝って、当該重り１５２は降下し、これに応じて杆板１４９は、軸部材１５１を中心にして、重り１５２が設けられた側の側縁部１４９Ａとは反対側の側縁部１４９Ｂが上昇するように回動する。これにより、杆板１４９の側縁部１４９Ｂによって余玉ケース１４０の底面部が押し上げられ、余玉ケース１４０は、軸部材１４８を中心にして、膨出部１４１Ａ及び１４１Ｂが上方に持ち上げられるように回動する。
【０１３４】
これに対して、図３１に示すように、余玉ケース１４０に貯留された持ち玉（パチンコ玉）Ｔの数が所定数に達している場合、重り１５２の重さよりも余玉ケース１４０に貯留された持ち玉Ｔの重さが打ち勝って、余玉ケース１４０は、膨出部１４１Ａ及び１４１Ｂが降下するように回動する。これにより、杆板１４９は、その側縁部１４９Ｂが余玉ケース１４０の底面部によって下方に押され、反対側の側縁部１４９Ａの重り１５２が持ち上げられるように回動する。
【０１３５】
このように、余玉ケース１４０は、貯留された持ち玉Ｔが所定数に達しない場合には、重り１５２によって、膨出部１４１Ａ及び１４１Ｂが持ち上げられるように回動し、貯留された持ち玉Ｔが所定数に達した場合には、重り１５２の重さに打ち勝って、膨出部１４１Ａ及び１４１Ｂが降下するように回動する。すなわち、余玉ケース１４０に貯留された持ち玉Ｔの数が所定数に満たない場合には、膨出部１４１Ａ及び１４１Ｂが第１レーン１２１Ａ及び第２レーン１２１Ｂ内に持ち上げられ、第１レーン１２１Ａ及び第２レーン１２１Ｂを転動する持ち玉Ｔを、第１分岐レーン１３５Ａ及び第２分岐レーン１３５Ｂを介して余玉ケース１４０内に誘導する。これに対して、余玉ケース１４０に貯留された持ち玉Ｔが所定数に達すると、膨出部１４１Ａ及び１４１Ｂが第１レーン１２１Ａ及び第２レーン１２１Ｂから下方に退避され、第１レーン１２１Ａ及び第２レーン１２１Ｂを転動する持ち玉Ｔを第１分岐レーン１３５Ａ及び第２分岐レーン１３５Ｂへ誘導せずに、排出口５４へ転動させる。かくして、余玉ケース１４０に貯留された持ち玉Ｔが排出されても、当該余玉ケース１４０には、膨出部１４１Ａ及び１４１Ｂによって新たに持ち玉Ｔが誘導され、常に一定数の持ち玉Ｔが貯留されることになる。
【０１３６】
上述したように、重り１５２を用い、杆板１４９を介して膨出部１４１Ａ及び１４１Ｂを上下動させるようにしたことにより、例えばばね部材等の付勢手段を用いて膨出部１４１Ａ及び１４１Ｂを上下動させる構成とする場合に比べて、耐久性を持たせることができる。
【０１３７】
因みに、図３２は、余玉ケース１４０の全体構成を示す斜視図である。図３２に示すように、余玉ケース１４０には、カバー１５５が設けられており、余玉ケース１４０内に貯留された持ち玉Ｔを遊技者が外部から取り出すことができないようになされている。
【０１３８】
図３３は、カバー１５５（図３２）を取り外した状態の余玉ケース１４０及び排出機構部（玉上げ機構部（装置））２００を示す斜視図である。図３３に示すように、余玉ケース１４０には、側壁１４５が途切れた排出部（第１の通路）１５０が設けられている。余玉ケース１４０の床面部には、排出部１５０に向かって傾斜した傾斜面部１４３Ａ、１４３Ｂ及び１４３Ｃが設けられており、余玉ケース１４０に貯留された持ち玉Ｔは、この傾斜面部１４３Ａ、１４３Ｂ及び１４３Ｃに沿って排出部１５０へ集まるようになされている。排出部１５０に集まった持ち玉Ｔは、排出機構部２００によって載置部１７０（図３）へ払い出される。
【０１３９】
すなわち、排出機構部２００は、余玉モータ２０１によって、垂直成分を有する仮想平面上で回転軸２０３を中心に回転駆動されるカム部材（ロータ）２１０を有しており、このカム部材２１０には、持ち玉Ｔを保持する保持部が形成されている。余玉ケース１４０の排出部１５０からこの保持部に導入された持ち玉Ｔは、カム部材２１０の回転によって上方へ持ち上げられ、円筒状のシュート部材２５０から、カバー１１０（図３）に形成された排出孔１１１を介して、載置部１７０へ払い出される。
【０１４０】
図３４は、排出機構部２００のカム部材２１０の構成を示す斜視図である。図３４に示すように、カム部材２１０には、２つの凹形状の保持部２１１Ａ、２１１Ｂが設けられており、カム部材２１０が矢印ｒ方向に回転しながら、この保持部２１１Ａ、２１１Ｂに余玉ケース１４０の持ち玉Ｔを順次保持する。この場合、カム部材２１０には、カム部材２１０の回転方向（矢印ｒ方向）の下流側から保持部２１１Ａに亘って漸次に深くなるように形成された傾斜面２１０Ａを有し、カム部材２１０が矢印ｒ方向に回転すると、排出部１５０の持ち玉Ｔが次第にカム部材２１０内に入り込んで、最終的に保持部２１１Ａに収納されるようになっている。また、保持部２１１Ｂ側においても同様にして、傾斜面２１０Ｂが形成されている。
【０１４１】
カム部材２１０の回転に伴って、最下部で保持された持ち玉Ｔは、最上部まで持ち上げられ、この最上部において、保持部２１１Ａ、２１１Ｂからシュート部材２５０を介して排出される。シュート部材（第２の通路）２５０の近傍には、余玉カウンタ２０２が設けられており、通過する持ち玉Ｔの数をカウントするようになされている。
【０１４２】
図３５は、カム部材２１０によって最上部まで持ち上げられた持ち玉Ｔを排出するための構成を示す斜視図である。図３５に示すように、カム部材２１０の前面にはマスク板（ケーシング）２０９が設けられており、カム部材２１０の保持部２１１Ａ、２１１Ｂに保持された持ち玉Ｔが回転中に脱落しないようになされている。
【０１４３】
このマスク板２０９の下部には、余玉ケース１４０からカム部材２１０の保持部２１１Ａ、２１１Ｂへ持ち玉Ｔを導入する導入口２０９Ａが形成されており、また、マスク板２０９の上部には、保持部２１１Ａ、２１１Ｂから持ち玉Ｔを排出するための排出口２０９Ｂが形成されている。この排出口２０９Ｂには、保持部２１１Ａ、２１１Ｂ内の持ち玉Ｔを、カム部材２１０の回転に伴って強制的に排出させるための押出し部材２０８が設けられている。この押出し部材２０８は、ばね状の金属板により形成されており、その基部がマスク板２０９にねじ止めされ、延伸部２０８Ａが排出口２０９Ｂ内に挿入されている。カム部材２１０の保持部２１１Ａ又は２１１Ｂに保持された持ち玉Ｔは、カム部材２１０の回転に伴って、押出し部材２０８の延伸部２０８Ａによって保持部２１１Ａ又は２１１Ｂから排出口２０９Ｂを介してシュート部材２５０側へ押出される。これにより、持ち玉Ｔは、カム部材２１０によって持ち上げられた後、シュート部材２５０を介して排出される。
【０１４４】
図３６は、載置部１７０を示す斜視図である。載置部１７０は、周囲を側壁１７１によって囲まれ、上部が開放された小皿状に形成されている。これにより、遊技者は、載置部１７０に排出された持ち玉Ｔを取り出して遊技に用いることができる。図３７は、図３６のＡ−Ａ線を断面にとって示す載置部１７０の部分的断面図である。図３７に示すように、載置部１７０は、遊技者から見て前後方向に一定の幅を有しており、排出孔１１１は、載置部１７０の後方の側面部に形成されている。これにより、排出部１１１から排出された持ち玉Ｔは、載置部１７０の後方の床面部１７３に落下することになる。この床面部１７３は、図中矢印ａで示すように、後方から前方に向かって（すなわち遊技者の方向に向かって）漸次に低くなるように傾斜している。これにより、排出孔１１１から床面部１７３に落下した持ち玉Ｔは、床面部１７３を遊技者のいる方向（前方）に転動し、載置部１７０の前方に集まる。
【０１４５】
また、床面部１７３は、前方において上方に持ち上がるように傾斜した前方傾斜部１７４を有している。これにより、遊技者は、前方に集まった持ち玉Ｔを、前方傾斜部１７４を介して、掬うように容易に取り出すことができる。
【０１４６】
次に、個別計数装置５０とサンド２０との着脱機構について説明する。図３８は、排出部５２に設けられた着脱機構部９０を示す斜視図である。図３８に示すように、着脱機構部９０は、ブラケット９３に設けられた回動軸９４を中心にして上下方向（矢印ｂ方向（図３９））に回動可能に枢支されたロックアーム９１を備えている。ロックアーム９１は、その先端部に下方に屈曲した屈曲部９１Ａを有しており、この部分でサンド２０側の係合部に係合される。
【０１４７】
図３９は、ロックアーム９１を示す斜視図である。図３９に示すように、ロックアーム９１は、その後端部にロック板９５を係合するための切欠部９１Ｂを形成しており、この切欠部９１Ｂにロック板９５が係合されることにより、ロックアーム９１をロックすることができる。ロック板９５は、カバー１１０（図３）に固定されたロック機構部９７によって水平方向（矢印ｃ方向）に回動可能に支持されており、鍵９６によって切欠部９１Ｂ内に係合されるように回動することにより、ロックアーム９１をロックすることができ、また、鍵９６によって切欠部９１Ｂから離間させるように回動することにより、ロックアーム９１をロック解除することができる。
【０１４８】
また、図３８において、着脱機構部９０には、制御部３０１とサンド２０との間で通信を行うためのコネクタ部９２が設けられている。このコネクタ部９２は、個別計数装置５０の制御部３０１からの通信線に接続された雄型コネクタ９２Ａと、この雄型コネクタ９２Ａに接続される雌型コネクタ９２Ｂを有している。雌型コネクタ９２Ｂは、後述するジョイントハーネス９２Ｃ（図４１）を含んでいる。このジョイントハーネス９２Ｃは、サンド２０側のコネクタ２９と接続される。
【０１４９】
図４０は、個別計数装置５０の着脱機構部９０とサンド２０の着脱部との装着方法の説明に供する概念図である。図４０に示すように、個別計数装置５０の着脱機構部９０は、サンド２０の着脱部２８（後述）と着脱するための機構部であり、ロックアーム９１の先端部（屈曲部９１Ａ）を上方に回動させた状態（図４０（ａ））で個別計数装置５０をサンド２０の着脱部２８へ当接させ、この状態で屈曲部９１Ａを下方に回動させることで、当該屈曲部９１Ａを、サンド２０の着脱部２８に係合し、個別計数装置５０をサンド２０に装着することができる（図４０（ｂ））。
【０１５０】
また、個別計数装置５０側のコネクタ部９２は、サンド２０側のコネクタ２９と接続され、これにより、個別計数装置５０及びサンド２０は、通信可能に接続される。因みに、図４０において、コネクタ部９２は、ジョイントハーネス９２Ｃ（後述）を含んだものであり、個別計数装置５０及びサンド２０は、ジョイントハーネス９２Ｃを介して接続される。
【０１５１】
上述したように、個別計数装置５０をサンド２０に装着した状態において、個別計数装置５０のロックアーム９１を鍵９６（図３９）によってロックすることにより、個別計数装置５０とサンド２０との装着状態をロックすることができる。これにより、例えば、当該ロック状態を不正に解除して、個別計数装置５０の排出口５４から排出される計数済みの持ち玉を取得するといった不正行為を防止することができる。
【０１５２】
次に、個別計数装置５０の制御部及び周辺機器について説明する。図４１は、個別計数装置５０の制御部３０１及び周辺機器を示す略線図である。図４１に示すように、制御部３０１は、内部にＣＰＵ等の制御回路（後述）を有し、外装面部に第１表示部３０６、第２表示部３０７、持玉払出ボタン３０８及び計数／停止ボタン３０９を有している。
【０１５３】
計数／停止ボタン３０９は、パチンコ遊技機１０の下皿１３から導入開口部５５を介して導入され、一時貯留部６０に貯留された遊技者の持ち玉の計数を開始又は停止させるための操作ボタンである。第１表示部３０６は、例えば、７セグメント表示器によって構成され、計数／停止ボタン３０９の操作によって計数された結果を表示するための表示部である。持玉払出ボタン３０８は、計数された結果（遊技者の持ち玉数）を払い出す指示を入力するための操作ボタンである。第２表示部３０７は、例えば、７セグメント表示器によって構成され、個別計数装置５０が装着されているサンド２０（パチンコ遊技機１０）において設定されている１玉あたりの金額が表示される。因みに、サンド２０の挿入された情報カードには、１玉あたりの設定金額が異なるパチンコ遊技機ごとに持ち玉数を記憶するようになされており（後述）、情報カードをサンド２０に挿入した際に、各設定に対応して記憶された持ち玉数が順次に第２表示部３０７に表示されるようになっている（後述）。なお、この表示の態様としては、第２の表示部３０７に１玉あたりの設定金額及びその持玉数を表示する態様、又は、第２の表示部３０７に１玉あたりの設定金額を表示し、第１の表示部３０６にその設定金額に対応した持玉数を表示する等、種々の態様を適用することができる。
【０１５４】
制御部３０１には、計数モータ７７、満杯センサ７８（発光素子７８Ａ及び受光素子７８Ｂ）が、計数エンコーダ基板３２０を介して接続されている。計数モータ７７は、制御部３０１の制御により駆動制御され、当該計数モータ７７が駆動されると、図４〜図６について上述したように、一時貯留部６０に貯留された持ち玉が、ロータ部材７３、７４によって、転動部１００（転動レーン１０１）へ運ばれる。
【０１５５】
満杯センサ７８は、一時貯留部６０に設けられており、当該一時貯留部６０に貯留された持ち玉が一定量に達すると、貯留された当該持ち玉によって発光素子７８Ａからの光が遮られて受光素子７８Ｂにおいて受光し得なくなることにより、満杯状態を検出し、検出結果を制御部３０１へ通知するようになされている。
【０１５６】
また、制御部３０１には、計数センサ１２２Ａ（１２３Ａ）、１２２Ｂ（１２３Ｂ）及び予備センサ１２４（１２５）が接続されており、図２２〜図２４について上述したように、転動部１００（転動レーン１０１）を転動する持ち玉を検出すると共に、異常状態があればそれを検出する。
【０１５７】
また、制御部３０１には、余玉モータ２０１及び余玉カウンタ２０２が余玉エンコーダ３３０を介して接続されている。余玉モータ２０１は、図３２〜図３５について上述したように、排出機構部２００のカム部材２１０を回転させ、これにより、貯留部１６０（余玉ケース１４０）の持ち玉を、載置部１７０へ払い出すことができる。余玉カウンタ２０２は、載置部１７０（図２１）の排出孔１１１から持ち玉が払い出される前段に設けられたセンサを含み、カム部材２１０から排出孔１１１へ排出される持ち玉を検出して、その数をカウントするものである。制御部３０１は、このカウント結果に基づいて、貯留部１６０に貯留された計数済みの持ち玉Ｔのうちの必要数を、排出機構部２００を介して載置部１７０へ払い出すように制御する。
【０１５８】
また、制御部３０１には、コネクタ部９２が接続されている。このコネクタ部９２は、雄型コネクタ９２Ａ及びこれに接続される雌型コネクタ９２Ｂと、当該雌型コネクタ９２Ｂに接続されたジョイントハーネス９２Ｃによって構成されており、ジョイントハーネス９２Ｃの他方は、サンド２０のコネクタ２９に接続される。制御部３０１は、コネクタ部９２を介して、サンド２０と通信を行う。
【０１５９】
次に、制御部３０１の回路構成について説明する。図４２は、制御部３０１の構成を示すブロック図であり、ＣＰＵ（中央処理ユニット）３０３がバス３０２に接続されている。ＣＰＵ３０３には、バス３０２を介して、ＲＯＭ３０４、ＲＡＭ３０５、入出力部３１０、第１表示部３０６、第２表示部３０７、持玉払出ボタン３０８及び計数／停止ボタン３０９等が接続されている。
【０１６０】
ＣＰＵ３０３は、ＲＯＭ３０４に記憶されているプログラムに従って動作し、計数／停止ボタン３０９又は持玉払出ボタン３０８の操作結果に応じて計数処理や持ち玉の払出処理を行う。この処理において、ＣＰＵ３０３は、入出力部３１０を介して、計数モータ７７や余玉モータ２０１を制御し、各種センサ（計数センサ１２２Ａ（１２３Ａ）、１２２Ｂ（１２３Ｂ）、予備センサ１２４（１２５）、満杯センサ７８、余玉カウンタ２０２等）からの検出結果を受け取り、これらの情報に基づいて、計数処理等を実行する。
【０１６１】
ＣＰＵ３０３は、計数処理によって得られた計数結果等の情報をＲＡＭ３０５に記憶すると共に、第１表示部３０６に表示する。また、これらの処理結果を、入出力部３１０を介してサンド２０に送信する。また、ＣＰＵ３０３は、持玉払出ボタン３０８の操作結果に応じて、入出力部３１０を介して、サンド２０に払出要求等を送信する。
【０１６２】
さらに、ＣＰＵ３０３は、サンド２０に挿入されている情報カードの情報を入出力部３１０を介して受信し、この情報をＲＡＭ３０５に記憶すると共に、第２表示部３０７に表示する。なお、制御部３０１において実行される制御処理については、後述する。
【０１６３】
次に、サンド２０の構成について説明する。図４３は、サンド２０を示す略線図である。図４３に示すように、サンド２０は、縦長の箱状に形成されており、遊技機間に設置固定される断面コの字型のフレーム２１に対して着脱可能なユニット部３０と、このユニット部３０の下方側に配置され、ユニット部３０と同様の幅を有する縦長の箱状に形成された電源供給部（電源基板２４等）とを備えている。
【０１６４】
サンド２０においては、ユニット部３０の着脱装置３４とフレーム２１の着脱機構部（係止ピン、解除ピン、突起）２５とを介して、ユニット部３０を、フレーム２１に対して着脱可能となっている。
【０１６５】
ユニット部３０は、略長方体形状に構成された縦長状の本体（ケーシング）３３内に、以下に説明するカード処理ユニット３６、紙幣処理ユニット３５、テンキー操作ユニット３７を収容しており、メンテナンスの頻度が高いこれらのユニット３５、３６、３７を、１つのユニット部３０内に設置してフレーム２１に対して取り外しできるように構成されている。
【０１６６】
カード処理ユニット３６は、ユニット部３０の前面パネルに縦方向に形成されるカード挿入口３６Ａを備えており、例えば、金額情報が記載された情報カード（ＩＣカード等）を挿入することで、内部に設置されているリーダライタが駆動され、金額情報の読取り、書換えが行われると共に、金額情報が書き換えられたカードの返却、発行、或いは金額が０になった際のカードの回収が可能となっている。遊技者は、カードに記載された金額情報の範囲内で、パチンコ玉やメダル等の遊技媒体の貸し出し処理を受け、遊技を行うことができる。
【０１６７】
これに加えて、情報カードの記憶領域には、遊技者が個別計数装置５０において計数された持玉数が記憶されるようになっている。図４４は、情報カード５００の記憶領域を示す略線図である。図４４に示すように、情報カード５００の記憶領域には、上述した金額情報（クレジット）を記憶するクレジット情報記憶領域５０１と、１円台において計数された持玉数を記憶する第１の持玉数記憶領域５０２と、２円台において計数された持玉数を記憶する第２の持玉数記憶領域５０３と、４円台において計数された持玉数を記憶する第３の持玉数記憶領域５０４とを有している。１円台とは、パチンコ玉の１玉が１円に設定されたパチンコ遊技機を意味し、２円台とは、パチンコ玉の１玉が２円に設定されたパチンコ遊技機を意味し、４円台とは、パチンコ玉の１玉が４円に設定されたパチンコ遊技機を意味する。これらのパチンコ遊技機において遊技した結果得られた遊技者の持ち玉は、各々個別の記憶領域（第１〜第３の記憶領域）に記憶されるようになされている。
【０１６８】
図４３に戻って、紙幣処理ユニット３５は、ユニット部３０の前面パネルに縦方向に形成される紙幣挿入口３５Ａを備えており、紙幣を挿入することで、内部に設置されているセンサによって真偽判断処理が成され、情報カードの場合と同様、挿入された金額の範囲内で、パチンコ玉の貸し出し処理を受け、遊技を行うことができる。なお、遊技で全ての金額を使用しなかった場合、カード処理ユニット３６において、挿入されている情報カードの残高を更新するようになっている。
【０１６９】
テンキー操作ユニット３７は、画像表示部（液晶ディスプレイによって構成される）、テンキー、赤外線受光素子及び、場合によっては、人体を認証するための撮像素子等を備えている。また、ユニット部３０は、上述した各ユニット以外の構成部材を含んでいても良く、例えば、異常を報知するためのパイロットランプ３８等が設けられている。
【０１７０】
上記した各ユニットは、ユニット部３０の内部に設置されたＣＰＵユニット３２によってその動作が制御される。このＣＰＵユニット３２は、ユニット部３０の後面に装着されるコネクタ３１がフレーム２１内面に装着された接続コネクタ２２に接続されることで、後述する電源供給部Ｄから電源が供給されると共に、外部との間で各種データの送受信が可能となっている。この場合、ユニット部３０に設けられるコネクタ３１と、フレーム２１に設けられる接続コネクタ２２は、ユニット部３０をフレーム２１から離脱する方向に移動した際、両者の接続がそのまま解除されるように設置、構成されている。
【０１７１】
電源供給部Ｄ内には、ユニット部３０の内部に収容されるカード処理ユニット３６、紙幣処理ユニット３５、テンキー操作ユニット３７、及び着脱装置３４の駆動モータなどに電力を供給すべく、外部電源４５から供給される電圧等を制御する電源基板２４と、通信制御ユニット２３とが設置されている。この通信制御ユニット２３は、通信方式の変換制御（シリアル／パラレル変換制御）や送受信先の振り分け制御を行う機能を有しており、通信コネクタ２７、２６を介して、それぞれホストコンピュータ５及び隣接するパチンコ遊技機１０との間で各種データの送受信を実行する。
【０１７２】
また、電源基板２４は、遊技者が所有する携帯端末などに対して充電を可能にする充電ユニットとしての機能を備えており、前面パネルから露出する充電ジャック２４Ａに所定の充電用の端子を差し込むことが可能になっている。
【０１７３】
フレーム２１の前面パネルの下部には、個別計数装置５０の着脱機構部９０を接続するための着脱部２８が設けられている。図４０について上述したように、この着脱部２８に対して、個別計数装置５０の着脱機構部９０を装着することができる。また、フレーム２１の前面パネルの下部においては、コネクタ２９及び導入口２１Ａが着脱部２８に併設されている。コネクタ２９は、個別計数装置５０の着脱機構部９０に設けられたコネクタ部９２と接続されて、サンド２０と個別計数装置５０との間で情報の送受信を行うためのものである。また、導入口２１Ａは、個別計数装置５０の排出口５４と接続されて、個別計数装置５０から排出された計数済みの持ち玉を導入し、これを回収用の所謂どぶへ排出するようになされている。
【０１７４】
このように、サンド２０においては、個別計数装置５０を装着することにより、個別計数装置５０との間で情報の送受信を行うことが可能となり、また、個別計数装置５０から排出された計数済みの持ち玉をどぶへ回収することができる。さらに、サンド２０は、個別計数装置５０における計数結果に応じて、情報カードの持玉数を更新することができ、この持玉数を遊技に用いる旨の指示が個別計数装置５０から入力された場合には、当該持玉数の払出指示をパチンコ遊技機１０へ送信することにより、情報カードに記憶されている持ち玉を、パチンコ遊技機１０を介して、その上皿１２に払い出させることができる。
【０１７５】
なお、サンド２０は、カード処理ユニット３６に挿入された情報カードの情報を、テンキー操作ユニット３７の操作によっても利用することができる。すなわち、遊技者がテンキー操作ユニット３７のテンキーを操作することによって、情報カード５００に記憶されたクレジットデータを利用することができ、この場合、ＣＰＵユニット３２は、テンキーの操作結果に応じて、情報カード５００に記憶されているクレジットデータから遊技者によって指定された金額分の払い出しをパチンコ遊技機１０に指示し、パチンコ遊技機１０においてそのパチンコ玉を上皿１２に払い出すことができる。
【０１７６】
これにより、サンド２０においては、個別計数装置５０が装着されていない場合であっても、情報カードに記憶されたクレジットデータに基づいて、パチンコ玉を貸し出すことができる。また、個別計数装置５０が装着されていない場合において、サンド２０に挿入された情報カード５００に持玉数が記憶されている場合には、ＣＰＵユニット３２は、遊技者のテンキーの操作に応じて、当該持玉数をパチンコ遊技機１０からその上皿１２に払い出させることができる。
【０１７７】
次に、個別計数装置５０の制御部３０１（図４１）における制御処理について説明する。図４５は、制御部３０１のＣＰＵ３０３による制御処理手順を示し、ＣＰＵ３０３は、ステップＳ１１において、サンド２０から情報を受信したか否かを判断する。何らかの情報を受信した場合、ＣＰＵ３０３は、ステップＳ１１からステップＳ２０へ処理を移して、受信情報表示処理（後述）を実行する。
【０１７８】
これに対して、ステップＳ１１において、サンド２０からの情報がなかったものと判断された場合、ＣＰＵ３０３は、ステップＳ１１からステップＳ１２へ処理を移して、計数／停止ボタン３０９（図４１）が操作されたか否かを判断する。計数／停止ボタン３０９が操作されたものと判断すると、ＣＰＵ３０３は、ステップＳ１２からステップＳ３０へ処理を移して、計数処理（後述）を実行する。
【０１７９】
これに対して、ステップＳ１２において、計数／停止ボタン３０９が操作されなかったものと判断すると、ＣＰＵ３０３は、ステップＳ１２からステップＳ１３へ処理を移して、持玉払出ボタン３０８（図４１）が操作されたか否かを判断する。持玉払出ボタン３０８が操作されたものと判断すると、ＣＰＵ３０３は、ステップＳ１３からステップＳ５０へ処理を移して、持玉払出処理（後述）を実行する。
【０１８０】
図４６は、受信情報表示処理（ステップＳ２０）の処理手順を示し、ＣＰＵ３０３は、当該処理手順に入ると、ステップＳ２１において、サンド２０からの受信情報をＲＡＭ３０５（図４２）に記憶し、続くステップＳ２２において、受信情報は情報カード５００（図４４）の持玉情報であるか否かを判断する。持玉情報とは、情報カード５００の第１〜第３の記憶領域５０２〜５０４（図４４）に記憶されている１円台、２円台及び４円台の持玉数を表す情報である。サンド２０では、カード処理ユニット３６に情報カードが挿入されると、当該情報カードに記憶されている持玉情報を読み出して、個別計数装置５０へ送信するようになされている。
【０１８１】
この情報が受信された場合、ＣＰＵ３０３は、ステップＳ２２からステップＳ２３へ処理を移して、第２表示部３０７に、１円台の持玉情報を一定時間表示した後、続くステップＳ２４に移って、第２表示部３０７に、２円台の持玉情報を一定時間表示し、さらにステップＳ２５に移って、第２表示部３０７に４円台の持玉情報を一定時間表示する。これにより、遊技者が情報カードをサンド２０のカード処理ユニット３６に挿入すると、個別計数装置５０の第２表示部３０７には、情報カードに記憶されている各持玉情報が一定時間ずつ表示されることになる。
【０１８２】
一方、上述のステップＳ２２において、個別計数装置５０がサンド２０から受信した情報が持玉情報でないと判断した場合、ＣＰＵ３０３は、ステップＳ２２からステップＳ２６へ処理を移して、受信した情報に応じた処理を実行する。
【０１８３】
このように、個別計数装置５０においては、サンド５０に挿入された情報カードの持玉情報を第２表示部３０７に表示することにより、遊技者に対して、当該遊技者の情報カードに記憶されている持玉数（すなわち、遊技者の持玉数）を通知するようになされている。特に、情報カードには、１円台、２円台及び４円台ごとに異なる領域を設定し、各々の台で獲得した持ち玉の数を個別に記憶しており、遊技者が情報カードをサンド２０に挿入した際に、これらの情報を表示することで、遊技者に対して、自分の持玉数を把握させることができる。これにより、遊技者の持ち玉が残っている場合には、当該遊技者に対してその旨を通知することとなり、遊技者へ更に遊技を行おうとする気持ちを持たせることができる。
【０１８４】
次に、図４５に示した計数処理（ステップＳ３０）の詳細について説明する。図４７は、計数処理（ステップＳ３０）における処理手順を示し、ＣＰＵ３０３は、当該処理手順に入ると、ステップＳ３１において、計数モータ７７（図４１）を駆動することにより、ロータ部材７３、７４（図４〜図６）を回転させ、一時貯留部６０（図３、図４）に貯留された持ち玉を順次転動部１００において転動させる。これにより、計数センサ１２２Ａ、１２２Ｂ、１２３Ａ、１２３Ｂにおいて持ち玉が順次検出される。検出結果は、制御部３０１に通知され、ＣＰＵ３０３は、ステップＳ３２において、計数センサ１２２Ａ、１２２Ｂ、１２３Ａ、１２３Ｂからの検出結果に基づいて、持ち玉の数をカウントする。
【０１８５】
また、ＣＰＵ３０３は、ステップＳ３３において、計数センサ１２２Ａ、１２２Ｂ、１２３Ａ、１２３Ｂ及び予備センサ１２４、１２５からの検出結果に基づき、異常があるか否かを判断する。異常があると判断すると、ＣＰＵ３０３は、ステップＳ３３からステップＳ３４へ処理を移して、計数を停止すると共に、第１表示部３０６にエラー表示を行う。これに対して、異常がないと判断すると、ＣＰＵ３０３は、ステップＳ３３からステップＳ３５へ処理を移して、一定時間検出結果が受信されないか否かを判断する。一定時間検出結果が受信されない場合、このことは、一時貯留部６０に貯留されている全ての持ち玉の検出が終了したことを意味しており、ＣＰＵ３０３は、ステップＳ３５からステップＳ３６へ処理を移して、計数結果をＲＡＭ３０５（図４２）に記憶し、続くステップＳ２７において、計数結果を第１表示部３０６に表示し、さらにステップＳ３８において、計数結果をサンド２０へ送信する。
【０１８６】
かくして、遊技者が個別計数装置５０の計数／停止ボタン３０９を操作すると、一時貯留部６０に貯留された持ち玉が計数され、計数結果は第１表示部３０６に表示されると共に、サンド２０へ送信され、情報カード５００の対応する記憶領域の持玉数に計数結果が加算されて更新されることになる。因みに、計数処理が実行されている際に、計数／停止ボタン３０９が再度操作されると、ＣＰＵ３０３は、実行中の計数処理を停止し、それまでの計数結果を第１表示部３０６に表示すると共に、サンド２０へ送信することとなる。
【０１８７】
次に、図４５に示した持玉払出処理（ステップＳ５０）の詳細について説明する。図４８は、持玉払出処理（ステップＳ５０）における処理手順を示し、ＣＰＵ３０３は、当該処理手順に入ると、ステップＳ５１において、持玉数を記憶部（ＲＡＭ３０５）から取得する。そして、続くステップＳ５２において、ＣＰＵ３０３は、取得した持玉数に端数があるか否かを判断する。端数とは、このときの持玉数を、サンド２０によってパチンコ遊技機１０に払い出しさせるパチンコ玉の単位数で割った余りの数を意味する。上述したように、サンド２０では、パチンコ遊技機１０に対して、所定数単位でのみ、払い出しをさせるようになっている。従って、遊技者の持玉数（個別計数装置５０のＲＡＭ３０５及び情報カード５００に記憶されている持玉数）が所定数で割り切れない場合、その余りの数が端数となる。この端数がある場合、ＣＰＵ３０３は、ステップＳ５２からステップＳ５３へ処理を移して、余玉モータ２０１（図３０〜図３３）を駆動することにより、貯留部１６０に貯留されている持ち玉を、載置部１７０へ払い出す。この場合、余玉カウンタ２０２（図４１）は、載置部１７０へ払い出される持ち玉の数をカウントし、ＣＰＵ３０３は、ステップＳ５４において、余玉カウンタ２０２（図４１）のカウント結果が端数に達したか否かを判断する。そして、ＣＰＵ３０３は、端数に達するまで、ステップＳ５３及びステップＳ５４の処理を繰り返す。ステップＳ５４において、載置部１７０に払い出された持ち玉の数が端数に達したと判断すると、ＣＰＵ３０３は、ステップＳ５４からステップＳ５５へ処理を移して、余玉モータ２０１を停止させる。これにより、載置部１７０には、端数分の持ち玉が払い出されることになる。
【０１８８】
ステップＳ５２において、端数がないと判断した場合、又はステップＳ５５の処理の後、ＣＰＵ３０３は、ステップＳ５６に処理を移して、ＲＡＭ３０５に記憶されている持玉数をサンド２０へ送信する。サンド２０では、個別計数装置５０から送信された持玉数のうち、端数を除いた数について、パチンコ遊技機１０に対して払い出しの指示を与える。これにより、端数は個別計数装置５０の載置部１７０へ払い出され、端数を除いた数の持ち玉は、パチンコ遊技機１０の上皿１２から払い出されることになる。また、サンド２０においては、挿入されている情報カードの該当する記憶領域の持玉数から、払い出された数が減算されて更新される。
【０１８９】
そして、ＣＰＵ３０３は、ステップＳ５７へ処理を移して、ＲＡＭ３０５に記憶されている持玉数をリセットする。なお、払い出し数を選択する場合には、ＲＡＭ３０５に記憶されている持玉数から、払い出された数を減算した結果によって、ＲＡＭ３０５の持玉数を更新する。
【０１９０】
かくして、個別計数措置５０において、端数が載置部１７０へ払い出され、パチンコ遊技機１０では、持玉数のうち端数を除いた数が上皿１２から払い出される。すなわち、サンド２０においては、端数を払い出すためのノズル等を設けることなく、端数を遊技者に払い出すことができる。
【０１９１】
図４９は、以上説明した個別計数装置５０の制御処理を含む、パチンコ遊技機１０、サンド２０及び個別計数装置５０の処理を示すタイミングチャートである。図４９に示すように、サンド２０に情報カード５００が挿入されると（ステップＳ２０１）、サンド２０は、情報カード５００から各記憶領域５０２〜５０４に記憶されている持玉数を読み出して、個別計数装置５０へ送信する。
【０１９２】
持玉数を受信した個別計数装置５０は、当該持玉数をＲＡＭ３０５に記憶する（ステップＳ５０１）。そして、このＲＡＭ３０５に記憶された持玉数を第２表示部３０７に表示する（ステップＳ５０２）。ステップＳ５０１及びステップＳ５０２の処理は、図４６に示した受信情報表示処理に含まれる処理である。
【０１９３】
また、個別計数装置５０において、計数／停止ボタン３０９が操作されて計数処理が実行されると（ステップＳ５０３）、個別計数装置５０は、計数された持玉数をサンド２０へ送信すると共に、ＲＡＭ３０５に記憶する（ステップＳ５０４）。計数された持玉数を受信したサンド２０は、当該持玉数を、情報カードの該当する記憶領域の持玉数に加算し、これを更新する。ステップＳ５０３及びステップＳ５０４の処理は、図４７に示した計数処理に含まれる処理である。
【０１９４】
また、個別計数装置５０において、持玉払出ボタン３０８が操作されて、持玉払出処理が実行されると（ステップＳ５０５）、個別計数装置５０は、ＲＡＭ３０５に記憶されている持玉数をサンド２０へ送信する。サンド２０は、受信した持玉数のうち、端数を除く数を払い出す指示をパチンコ遊技機１０へ送信する（ステップＳ２０３）。この指示を受信したパチンコ遊技機１０は、上皿１２に、指定された数のパチンコ玉を払い出す（ステップＳ１０１）。
【０１９５】
一方、個別計数装置５０では、持玉払出処理によってＲＡＭ３０５から取得した持玉数のうち、端数分を載置部１７０へ払い出し（ステップＳ５０６）、ＲＡＭ３０５に記憶されている持玉数をリセットすることにより、これを更新する（ステップＳ５０７）。因みに、払出数を指定できる場合には、ＲＡＭ３０５に記憶されている持玉数から、パチンコ遊技機１０及び載置部１７０へ払い出された総数を減算した結果を新たな持玉数として、ＲＡＭ３０５の値を更新する。そして、個別計数装置５０は、更新された結果を第１表示部３０６に表示する（ステップＳ５０８）。ステップＳ５０５〜ステップＳ５０８の処理は、図４８に示した持玉払出処理に含まれる処理である。
【０１９６】
このようにして、本実施の形態においては、個別計数装置５０によって、計数処理及び持玉払出処理が実行され、当該処理結果を受信したサンド２０において、情報カード５００の更新及びパチンコ遊技機１０に対する払出指示の送信を実行することになる。
【０１９７】
因みに、サンド２０において、情報カード５００が抜き取られると（ステップＳ２０５）、抜き取られた旨の通知がサンド２０から個別計数装置５０へ送信され、これにより、個別計数装置５０では、ＲＡＭ３０５に記憶されている持玉数をリセットする（ステップＳ５０９）。
【０１９８】
（実施の形態の動作及び効果）
以上説明した個別計数装置５０がサンド２０に装着されている状態において、遊技者がパチンコ遊技機１０の遊技を行う場合、まず、現金情報（クレジット情報）が記憶されている情報カード５００を、サンド２０のカード処理ユニット３６の挿入口３６Ａから挿入すると、テンキー操作ユニット３７に玉貸し用の現金残高が表示される。遊技者は、テンキー操作ユニット３７のテンキーを操作することにより、金額を指定すると、所定金額単位で、パチンコ遊技機１０からその上皿１２に貸し玉（パチンコ玉）が払い出される。遊技者は、この貸し玉を用いてパチンコ遊技を行うことができる。
【０１９９】
遊技の結果、多くの勝ち玉が払い出され、上皿１２が満杯になると、下皿１３へ払い出される。下皿１３が満杯になると、遊技者は、下皿１３の底面部に設けられたシャッタを開けることにより、下皿１３の勝ち玉を、当該下皿１３の下方に配置された個別計数装置５０の導入開口部５５を介して、個別計数装置５０の一時貯留部６０に遊技者の持ち玉として貯留される。
【０２００】
このようにして、遊技者が遊技を続けながら、下皿１３から個別計数装置５０の一時貯留部６０に持ち玉を貯留して行く。そして、一定量が貯留したタイミングや、遊技者が遊技を終了するといった遊技者の所望のタイミングにおいて、個別計数装置５０の計数／停止ボタン３０９を遊技者が操作すると、一時貯留部６０に貯留された持ち玉は、持ち上げ機構部７０によって転動レーン１０１へと運ばれ、当該転動レーン１０１を排出部５２へと転動する。
【０２０１】
転動レーン１０１を転動した持ち玉は、続く転動レーン１２１を転動する。転動レーン１２１を転動する持ち玉は、計数センサ１２２Ａ、１２２Ｂ、１２３Ａ、１２３Ｂによって計数され、この計数結果は、制御部３０１によって第１表示部３０６に表示される。
【０２０２】
また、転動レーン１２１を転動する、計数済みの持ち玉は、切替部１３０において、分岐レーン（第１分岐レーン１３５Ａ、第２分岐レーン１３５Ｂ）に分岐されて貯留部１６０へ選択的に誘導される。すなわち、貯留部１６０に一定量の持ち玉が貯留されていない場合には、持ち玉は切替部１３０において分岐レーンへ誘導されて貯留部１６０に貯留される。これに対して、貯留部１６０に一定数の持ち玉が貯留されている場合には、転動レーン１２１を転動する持ち玉は、貯留部１６０へ誘導されることなく、排出口５４へ転動する。これにより、貯留部１６０には、常に一定数の持ち玉が貯留されていることになる。排出口５４へ転動した計数済みの持ち玉は、サンド２０へ排出され、その後、回収用の所謂どぶへ排出される。
【０２０３】
個別計数装置５０において計数された持玉数は、上述したように第１表示部３０６に表示されることに加えて、個別計数装置５０の制御部３０１内のＲＡＭ３０５に記憶されると共に、サンド２０へ送信され、当該サンド２０に挿入されている情報カード５００の対応する記憶領域（１円台用の記憶領域、２円台用の記憶領域又は４円台用の記憶領域）に書き込まれる。この記憶領域に既に持玉数が記憶されている場合には、新たに計数された結果がその持玉数に加算される。
【０２０４】
このようにして、遊技者が遊技中に下皿１３に入りきれなくなった持ち玉は、従来の玉箱（所謂ドル箱）に代えて、持玉数というデータに置き換えられて、個別計数装置５０のＲＡＭ３０５に記憶されると共に、情報カード５００に記憶される。このように持ち玉がデータに置き換えられることにより、従来のように玉箱に持ち玉を入れる場合に比べて、上記玉箱を遊技者の遊技領域周辺の通路に重ねて置く必要がなくなり、通路の通行の邪魔になる等の問題が解決される。
【０２０５】
データに置き換えられた持ち玉を遊技者が利用する場合、遊技者は、個別計数装置５０の持玉払出ボタン３０８を操作する。この持玉払出ボタン３０８が操作されると、個別計数装置５０の制御部３０１に記憶されている数の持ち玉がパチンコ遊技機１０からその上皿１２へ払い出される。この場合、当該持玉数にサンド２０によって払い出される単位数で割りきれない端数があると、当該端数分は、個別計数装置５０の載置部１７０へ払い出され、端数を除いた分がパチンコ遊技機１０からその上皿１２へ払い出される。遊技者は、載置部１７０へ払い出された端数分の持ち玉を、上皿１２に移して遊技を行う。
【０２０６】
このように、端数分の持ち玉を、個別計数装置５０の載置部１７０に払い出すようにしたことにより、例えば、従来例のように、サンド２０からパチンコ遊技機１０の上皿１２へノズル等の別部材を用いて持ち玉を払い出す構成に比べて、サンド２０や上皿１２周辺にノズル等の邪魔な部材を配置する必要がなくなり、ノズルの破損といった不都合が発生することをなくすことができる。また、サンド２０のようにパチンコ遊技機１０の台の間に設置される装置では、狭い空間にノズル等の機能を配置することが設計上難しいが、個別計数装置５０を用いることにより、ノズル等を設ける必要がなくなる分、設計をし易くすることができる。
【０２０７】
また、個別計数装置５０は、サンド２０に対して着脱機構部９０によって着脱可能となっていることにより、ホールにとっては、はじめにサンド２０のみを導入し、必要に応じて個別計数装置５０を導入することが可能になる。これにより、ホールの経営計画をし易くすることができる。
【０２０８】
本実施の形態においては、さらに、一時貯留部（ホッパーユニット）６０の持ち玉Ｔを持ち上げ機構部（移送機構部）７０の移送開始位置まで転動させる通路部６８に、崩し板（玉詰まり防止部材）８１が設けられている。広い一時貯留部６０から比較的狭い通路部６８に転動し、その転動方向を持ち上げ機構部７０の方向へ変化させた持ち玉Ｔは、通路部６８の入り口付近で崩し板８１の突起部８１Ａによって強制的に動かされることになる。
【０２０９】
このように広い一時貯留部６０と比較的狭い通路部６８との境界領域であって、さらに持ち玉Ｔの転動方向が変化する領域にあっては、持ち玉Ｔが集中して詰まり易くなるが、この領域に設けられた崩し板８１の往復運動によって、詰まり易い当該領域の持ち玉Ｔが強制的に動かされることにより、玉詰まりを防止することができる。この崩し板８１の往復運動の方向は、持ち玉Ｔの転動方向に沿った方向となっていることにより、持ち玉Ｔを確実に通路に沿った方向（持ち上げ機構部７０の方向）へ転動させることができる。
【０２１０】
また、崩し板８１が設けられた領域には、崩しカム板（板状部材）８３の先端部８３Ｂが往復運動するように設けられ、この領域に集中した持ち玉Ｔの一群に先端部８３Ｂが分け入るように駆動されることにより、集中した持ち玉Ｔが詰まることを防止することができる。
【０２１１】
本実施の形態においては、さらに、貯留部１６０に貯留された持ち玉Ｔを、排出機構部（玉上げ装置）２００によって載置部１７０へ移送するようになされている。排出機構部２００においては、カム部材２１０の回転に伴って、当該カム部材２１０の保持部２１１Ａ又は２１１Ｂが最下部へ至ると、貯留部１６０の持ち玉Ｔは、貯留部１６０に連通した排出部（第１の通路）１５０から保持部２１１Ａ又は２１１Ｂへ導入される。
【０２１２】
保持部２１１Ａ又は２１１Ｂに保持された持ち玉Ｔは、カム部材２１０の回転によって最上部へ至ると、押出し部材２０８の延伸部２０８Ａによって保持部２１１Ａ又は２１１Ｂから押出されてシュート部材（第２の通路）２５０へ勢いよく排出される。これにより、持ち玉Ｔは、シュート部材２５０から載置部１７０へと排出される。
【０２１３】
このように、持ち玉Ｔを運び上げる排出機構部２００を設けることにより、載置部１７及び貯留部１６０を上下に配置することができ、上下のスペースを有効に利用することができる。
【０２１４】
本実施の形態においては、さらに、載置部１７０へ持ち玉Ｔを払い出す前段に、貯留部１６０が設けられ、転動レーン１２１を転動する持ち玉Ｔ（すなわち、計数済みの持ち玉Ｔ）が当該貯留部１６０に貯留されて、この貯留部１６０から必要に応じて余り玉（サンド２０及びパチンコ遊技機１０を介して払い出せない端数の持ち玉）として載置部１７０へ払い出される。
【０２１５】
貯留部１６０への持ち玉Ｔの補充は、転動レーン１２１を転動する持ち玉Ｔを切替部１３０によって切り替えることにより行われる。すなわち、貯留部１６０（余玉ケース１４０）に重り１５２の重量によって決まる一定数の持ち玉Ｔが貯留されていない場合、杆板１４９によるシーソ杆の作用により、膨出部１４１Ａ、１４１Ｂが転動レーン１２１内に上昇することにより、当該転動レーン１２１を転動する計数済みの持ち玉Ｔが貯留部１６０（余玉ケース１４０）へ誘導される。これに対して、貯留部１６０（余玉ケース１４０）に一定数の持ち玉Ｔが貯留されている場合、膨出部１４１Ａ、１４１Ｂが転動レーン１２１から下方に退避することにより、当該転動レーン１２１を転動する計数済みの持ち玉Ｔは、貯留部１６０へは誘導されずに排出口５４へ転動する。
【０２１６】
これにより、貯留部１６０には、一定の持ち玉Ｔが貯留されることになり、余り玉が必要な場合には、排出機構部２００によって、貯留部１６０から載置部１７０へ持ち玉Ｔが余り玉として払い出されることになる。
【０２１７】
このように、本実施の形態においては、転動レーン１２１を転動する持ち玉Ｔを、膨出部１４１Ａ、１４１Ｂの誘導面１４２Ａ、１４２Ｂによって貯留レーン（第１分岐レーン１３５Ａ、第２分岐レーン１３５Ｂ）へ誘導することにより、持ち玉Ｔを安定して貯留部１６０へ誘導することができる。
【０２１８】
また、膨出部１４１Ａ、１４１Ｂの転動レーン１２１への出没動作の駆動源として、重り１５２を用いたことにより、例えばばね等を用いる場合に比べて、寿命を長くすることができる。
【０２１９】
（他の実施の形態）
（１）  上述の図４９は、個別計数装置５０において計数処理及び持玉払出処理を実行する場合について述べたが、サンド２０においてこれらの処理を実行するようにしてもよい。図５０は、計数処理及び持玉払出処理をサンド２０の制御により実行する場合における、パチンコ遊技機１０、サンド２０及び個別計数装置５０の処理を示すタイミングチャートである。なお、情報カード５００がサンド２０に挿入された場合に個別計数装置５０の第２表示部３０７に持玉数を表示する処理（ステップＳ２０１、ステップＳ５０１、ステップＳ５０２）は、図４９に示した処理と同様であるので、重複した説明は省略する。
【０２２０】
図５０に示すように、個別計数装置５０の計数／停止ボタン３０９が操作されると、個別計数装置５０は、ステップＳ５１１において、計数処理の開始指示をサンド２０へ送信する。この指示を受信したサンド２０は、ステップＳ２１１において計数処理を実行する。計数開始指示を送信した後、個別計数装置５０は、計数センサ１２２Ａ、１２２Ｂ、１２３Ａ、１２３Ｂ及び予備センサ１２４、１２５の検出結果を、サンド２０へ送信する（ステップＳ５１２）。
因みに、図５０に示す場合においても、サンド２０において、情報カード５００が抜き取られると（ステップＳ２０５）、抜き取られた旨の通知がサンド２０から個別計数装置５０へ送信され、これにより、個別計数装置５０では、ＲＡＭ３０５に記憶されている持玉数をリセットする（ステップＳ５０９）。
【０２２１】
図５１は、サンド２０における計数処理（ステップＳ２１１）の詳細を示すフローチャートである。図５１に示すように、サンド２０のＣＰＵユニット３２は、当該処理手順に入ると、ステップＳ２３１において、個別計数装置５０から受信した計数センサ１２２Ａ、１２２Ｂ、１２３Ａ、１２３Ｂの検出結果に基づいて、持ち玉の数をカウントする。
【０２２２】
また、ＣＰＵユニット３２は、ステップＳ２３２において、計数センサ１２２Ａ、１２２Ｂ、１２３Ａ、１２３Ｂ及び予備センサ１２４、１２５からの検出結果に基づき、異常があるか否かを判断する。異常があると判断すると、ＣＰＵユニット３２は、ステップＳ２３２からステップＳ２３３へ処理を移して、計数の停止及び第１表示部３０６にエラー表示を行う旨の指示を個別計数装置５０へ送信する。これに対して、異常がないと判断すると、ＣＰＵユニット３２は、ステップＳ２３２からステップＳ２３４へ処理を移して、一定時間検出結果が受信されないか否かを判断する。一定時間検出結果が受信されない場合、このことは、一時貯留部６０に貯留されている全ての持ち玉の検出が終了したことを意味しており、ＣＰＵユニット３２は、ステップＳ２３４からステップＳ２３５へ処理を移して、計数結果をＣＰＵユニット３２のＲＡＭ３２Ａに記憶し、続くステップＳ２３６において、計数結果を個別計数装置５０へ送信する。さらに、ＣＰＵユニット３２は、ステップＳ２３７において、ＲＡＭ３２Ａの計数結果を、情報カード５００の該当する記憶領域の持玉数に加算することにより、当該持玉数を更新する。
かくして、サンド２０のＣＰＵユニット３２の制御により、個別計数装置５０において持ち玉の計数が実行される。
【０２２３】
図５０のステップＳ２１１において、サンド２０から個別計数装置５０に対して計数停止、エラー表示指示が送信されると、個別計数装置５０は、ステップＳ５１３において計数モータ７７を停止させると共に、第１表示部３０６にエラー表示を行う。
【０２２４】
また、ステップＳ２１１において、サンド２０から個別計数装置５０に対して計数結果が送信されると、個別計数装置５０は、ステップＳ５１４において、ＲＡＭ３０５の持玉数を更新すると共に、更新された持玉数を第１表示装置３０６に表示する。
【０２２５】
次に、個別計数装置５０において、持玉払出ボタン３０８が操作された場合、個別計数装置５０から持玉払出処理の開始指示がサンド２０に送信される（ステップＳ５１５）。この場合、個別計数装置５０のＲＡＭ３０５に記憶されている持玉数データが開始指示と共に個別計数装置５０からサンド２０に送信される。
【０２２６】
開始指示を受信したサンド２０のＣＰＵユニット３２は、ステップＳ２１２において持玉払出処理を実行する。図５２は、サンド２０における持玉払出処理（ステップＳ２１２）の詳細を示すフローチャートである。図５２に示すように、サンド２０のＣＰＵユニット３２は、当該処理手順に入ると、ステップＳ２４１において、持玉数を個別計数装置５０から取得してＲＡＭ３２Ａに記憶する。そして、続くステップＳ２４２において、ＣＰＵユニット３２は、取得した持玉数に端数があるか否かを判断する。端数がある場合、ＣＰＵユニット３２は、ステップＳ２４２からステップＳ２４３へ処理を移して、端数を表す端数データを個別計数装置５０へ送信する。
【０２２７】
ステップＳ２４２において端数がないと判断した場合、又はステップＳ２４３の処理の後、ＣＰＵユニット３２は、ステップＳ２４４へ処理を移して、端数以外の払出指示をパチンコ遊技機１０へ送信する。そして、ＣＰＵユニット３２は、ステップＳ２４５へ処理を移して、挿入されている情報カード５００の該当する記憶領域の持玉数から、払い出された数を減算してこの値を更新する。そして、ＣＰＵユニット３２は、ステップＳ２４６へ処理を移して、払出結果を個別計数装置５０へ送信する。
【０２２８】
図５０に示すように、サンド２０の持玉払出処理（ステップＳ２１２）において、サンド２０から個別計数装置５０に対して端数データが送信されると、個別計数装置５０は、ステップＳ５１５において余玉払出処理を実行することにより、端数を余り玉として載置部１７０へ払い出す。図５３は、個別計数装置５０における余玉払出処理（ステップＳ５１６）を示すフローチャートである。
【０２２９】
図５３に示すように、個別計数装置５０のＣＰＵ３０３は、余玉払出処理に入ると、ステップＳ５２１において、余玉モータ２０１（図３０〜図３３）を駆動することにより、貯留部１６０に貯留されている持ち玉を、載置部１７０へ払い出す。この場合、余玉カウンタ２０２（図４１）は、載置部１７０へ払い出される持ち玉の数をカウントし、ＣＰＵ３０３は、ステップＳ５２２において、余玉カウンタ２０２（図４１）のカウント結果が端数に達したか否かを判断する。そして、ＣＰＵ３０３は、端数に達するまで、ステップＳ５２１及びステップＳ５２２の処理を繰り返す。ステップＳ５２２において、載置部１７０に払い出された持ち玉の数が端数に達したと判断すると、ＣＰＵ３０３は、ステップＳ５２２からステップＳ５２３へ処理を移して、余玉モータ２０１を停止させる。これにより、載置部１７０には、端数分の持ち玉が払い出されることになる。
【０２３０】
また、図５０に示すように、サンド２０の持玉払出処理（ステップＳ２１２）において、サンド２０からパチンコ遊技機１０に対して端数以外の払出指示が送信されると、パチンコ遊技機１０は、持玉数のうち端数を除いた数を上皿１２から払い出す（ステップＳ１０１）。これにより、パチンコ遊技機１０では、端数以外の持ち玉が上皿１２に払い出されると共に、個別計数装置５０では、端数分の持ち玉が余り玉として載置部１７０に払い出される。
【０２３１】
サンド２０における払出処理（ステップＳ２１２）において、サンド２０から個別計数装置５０に対して払出結果が送信されると、個別計数装置５０は、ステップＳ５１７において、ＲＡＭ３０５の持玉数から払い出された数を減算することにより持玉数を更新する。そして、個別計数装置５０は、ステップＳ５１８において、更新された持玉数を、第１表示部３０６に表示する。因みに、全ての持ち玉が払い出された場合は、ＲＡＭ３０５において更新された結果は、持玉数「０」となり、第１表示部３０６には、「０」が表示される。
【０２３２】
かくして、サンド２０において計数処理（ステップＳ２１１）及び持玉払出処理（ステップＳ２１２）を実行することができる。
【０２３３】
（２）  上述の実施の形態においては、個別計数装置５０から排出された計数済の持ち玉をサンド２０を介してどぶへ回収する場合について述べたが、これに限られるものではなく、サンド２０を介さずに、個別計数装置５０から直接どぶへ排出するようにしてもよい。
【０２３４】
（３）  上述の実施の形態においては、計数センサ１２２Ａ、１２２Ｂ、１２３Ａ、１２３Ｂ及び予備センサ１２４、１２５として、磁気センサを用いる場合について述べたが、これに限られるものではなく、例えば発光部及び受光部からなる光センサ等、他のセンサを用いることができる。
【０２３５】
（４）  上述の実施の形態においては、パチンコ遊技機１０の下皿１３の開口部１４（図１）から個別計数装置５０の一時貯留部６０へ持ち玉を導入する場合について述べたが、これに限られるものではなく、上皿１２から個別計数装置５０へ専用の導入路を設けて導入させたり、又は、下皿１３や上皿１２ではなく、パチンコ遊技機１０と個別計数装置５０との間に専用の導入路を設けて、遊技者の持ち玉をパチンコ遊技機１０から個別計数装置５０へ導入するようにしてもよい。
（個別計数装置の概要）
本実施の形態における個別計数装置５０は、パチンコ遊技機１０から排出された遊技者の持ち玉Ｔを導入する導入開口部５５と、導入開口部５５を介して導入された持ち玉Ｔを回収のために排出する排出部５２と、導入開口部５５から導入された持ち玉Ｔを排出部５２へ導く転動レーン１０１と、転動レーン１０１を転動する持ち玉Ｔを検出するセンサ（計数センサ１２２Ａ、１２２Ｂ、１２３Ａ、１２３Ｂ）と、転動レーン１０１を転動する持ち玉Ｔの経路を切り替える切替部１３０と、経路を切り替えられた持ち玉Ｔを貯留する貯留部１６０と、貯留部１６０に貯留された持ち玉Ｔを、外部に開放された載置部１７０へ排出する排出機構部２００と、を備える。
【０２３６】
上記構成によれば、計数された持ち玉Ｔの一部を、回収用のどぶへ排出することなく貯留しておき、玉貸し装置（サンド２０）によって払い出しが困難な数の余り玉の払い出しが必要になった場合に、貯留された当該持ち玉を余り玉として、外部に開放された載置部１７０に排出し載置することにより、サンド２０によって払い出しが困難な数の余り玉を、当該載置部１７０を介して遊技者へ払い出すことができる。これにより、余り玉を排出するための機能（ノズル等）を有していない玉貸し装置（サンド２０）に対して、当該機能を容易に追加することができる。
【０２３７】
また、本実施の形態における個別計数装置５０は、上記構成に加えて、パチンコ遊技機１０に併設され、パチンコ遊技機１０を介して遊技者にパチンコ玉を貸し出す玉貸し装置（サンド２０）に対して着脱を行うための着脱部（着脱機構部９０）を備え、着脱部（着脱機構部９０）を介して玉貸し装置（サンド２０）に装着された場合に、導入開口部５５が、パチンコ遊技機１０の持ち玉が排出される下皿１３の底面部開口の下方に配置されるように構成されている。
【０２３８】
上記構成によれば、玉貸し装置（サンド２０）に対して着脱可能であることにより、ホール側で個別計数装置５０が必要であると判断した時点でこれを導入することができ、ホールの経営に対して柔軟に対応することができるようになる。さらに具体的には、個別計数装置５０は、貸し玉装置（サンド２０）に装着された状態では、パチンコ遊技機１０の前方に迫り出した部分（従来、玉箱を載せていた部分）に載置されるようになっており、この状態において、パチンコ遊技機１０の下皿１３の底部開口の下方に、導入開口部５５が配置されるように構成されている。これにより、玉貸し装置（サンド２０）に装着された個別計数装置５０は、その導入開口部５５にパチンコ遊技機１０の下皿から落下する持ち玉を導入することが可能となる。すなわち、パチンコ遊技機１０の下皿１３に持ち玉を排出するためのシャッタ付きの底部開口が形成されていることに応じて、この下方に導入開口部５５が配置されるように当該導入開口部５５の位置が決められている。これにより、パチンコ遊技機１０及びこれに玉貸し装置（サンド２０）が併設される従来のレイアウトにおいて、個別計数装置を容易に装着することができる。
【０２３９】
また、本実施の形態における個別計数装置５０は、上記構成に加えて、センサ（計数センサ１２２Ａ、１２２Ｂ、１２３Ａ、１２３Ｂ）の検出結果によって計数された数の持ち玉Ｔを遊技用に払い出す指示操作を受け付ける持ち玉払出操作部（持玉払出ボタン３０８）と、持ち玉払出操作部（持玉払出ボタン３０８）の操作結果に基づいて、計数された数の持ち玉Ｔを払い出す際に、払い出される当該持ち玉数のうち、玉貸し装置（サンド２０）によって払い出される払出単位数に対する余り玉を排出機構部２００によって貯留部１６０から載置部１７０へ排出させる排出制御部２００を備える。
【０２４０】
上記構成によれば、持玉数のうち、玉貸し装置（サンド２０）によって払い出される払い出し単位数に対する余り玉を貯留部１６０から載置部１７０へ排出することにより、余り玉を排出するための機構を玉貸し装置（サンド２０）に別途設ける必要がなくなる。
【０２４１】
また、本実施の形態における玉詰まり防止装置は、パチンコ玉を転動させる傾斜状の通路部６８と、通路部６８に設けられ、通路部６８のパチンコ玉を強制的に動かすことで当該パチンコ玉の玉詰まりを防止する玉詰まり防止部材（崩し板８１）と、を備える。
【０２４２】
上記構成によれば、パチンコ玉が転動する通路部６８において、当該パチンコ玉を強制的に動かす玉詰まり防止部材（崩し板８１）を設けることにより、多くのパチンコ玉が集中した場合であっても玉詰まりの発生を防止することができる。特に、比較的大きなホッパーユニット（一時貯留部６０）から比較的狭い通路部６８にパチンコ玉が集まるような構成においては、当該パチンコ玉が玉詰まりを起こす可能性が高いが、通路部６８におけるパチンコ玉を強制的に動かすことで、玉詰まりを未然に防止することができる。
【０２４３】
また、本実施の形態における玉詰まり防止装置は、上記構成に加えて、玉詰まり防止部材（崩し板８１）は、通路部６８に面した表面に突起部８１Ａを有し、通路部６８に沿って往復運動する。
【０２４４】
上記構成によれば、通路部６８のパチンコ玉に対して、当該パチンコ玉の転動経路に沿って、突起部８１Ａを有する玉詰まり防止部材（崩し板８１）を往復運動させることにより、当該突起部８１Ａによってパチンコ玉を転動経路に沿った方向に強制的に動かすことができる。これにより、パチンコ玉を止まらせることなく転動させることができ、玉詰まりを防止することができる。また、好ましくは、通路部６８に沿って複数の突起部８１Ａを設け、各突起部８１Ａの間隔を、パチンコ玉の直径よりも大きくし、玉詰まり防止部材（崩し板８１）の往復運動の振幅を突起部８１Ａの間隔以上とすることにより、突起部８１Ａがパチンコ玉に確実に当たるようにすることができる。
【０２４５】
本実施の形態における玉詰まり防止装置は、上記構成に加えて、玉詰まり防止部材（崩し板８１）は、断面凹状の通路部６８の側面に突起部８１Ａを通路部側に向けて配置され、パチンコ玉の転動方向に往復運動することを特徴としている。
【０２４６】
上記構成によれば、通路部６８のパチンコ玉に対して、当該パチンコ玉の転動方向に玉詰まり防止部材（崩し板８１）を往復運動させることにより、当該突起部８１Ａによってパチンコ玉を転動経路に沿った方向に強制的に動かすことができる。これにより、パチンコ玉を止まらせることなく転動させることができ、玉詰まりを防止することができる。特に、断面凹状の通路部６８の側面部において、玉詰まり防止部材（崩し板８１）を、その突起部８１Ａを通路側に向けて、パチンコ玉の転動方向に往復運動させることにより、例えば、突起部８１Ａをパチンコ玉の転動方向とは異なる上下方向等に往復運動させる場合に比べて、玉詰まりを一段と効果的に低減することができる。
【０２４７】
本実施の形態における玉詰まり防止装置は、上記構成に加えて、玉詰まり防止部材（崩し板８１）によって強制的に動かされるパチンコ玉の一群に分け入る板状部材（崩しカム板８３）を備える。
【０２４８】
上記構成によれば、一群のパチンコ玉の間に板状部材（崩しカム板８３）を分け入らせることで、当該一群のパチンコ玉が詰まりかけてもこれを崩すことができ、パチンコ玉が玉詰まり防止部材（崩し板８１）によって強制的に動かされることと相まって、当該パチンコ玉の一群の詰まり状態を有効に崩して通路部６８を安定に転動させることができる。
【０２４９】
本実施の形態における個別計数装置５０は、パチンコ遊技機１０から排出された遊技者の持ち玉Ｔを導入する導入口５５と、導入口５５を介して導入された持ち玉Ｔを貯留するホッパーユニット（一時貯留部６０）と、ホッパーユニット（一時貯留部６０）に貯留された持ち玉Ｔを、ホッパーユニット（一時貯留部６０）よりも低い移送開始位置まで転動させる通路部６８と、移送開始位置の持ち玉Ｔを当該移送開始位置よりも高い位置まで移送する移送機構部（持ち上げ機構部７０）と、移送機構部（持ち上げ機構部７０）によって移送された持ち玉Ｔを導入し、導入された当該持ち玉Ｔを、当該導入位置よりも低い位置まで転動させる転動部１００と、転動部１００を転動する持ち玉Ｔを検出するセンサ１２２Ａ、１２２Ｂ、１２３Ａ、１２３Ｂと、転動部１００を転動した持ち玉Ｔを回収のために排出する排出部５２と、通路部６８に設けられ、通路部６８の持ち玉Ｔを強制的に動かすことで当該持ち玉Ｔの玉詰まりを防止する玉詰まり防止部材（崩し板８１）と、を備える。
【０２５０】
上記構成によれば、持ち玉Ｔが転動する通路部６８において、当該持ち玉Ｔを強制的に動かす玉詰まり防止部材（崩し板８１）を設けることにより、多くの持ち玉Ｔが集中した場合であっても玉詰まりの発生を防止することができる。特に、比較的大きなホッパーユニット（一時貯留部６０）から比較的狭い通路部６８に持ち玉Ｔが集まる構成においては、当該持ち玉Ｔが玉詰まりを起こす可能性が高いが、通路部６８における持ち玉Ｔを強制的に動かすことで、玉詰まりを未然に防止することができる。特に、ホッパーユニット（一時貯留部６０）の側縁部に沿って通路部６８を設ける構成においては、ホッパーユニット（一時貯留部６０）から通路部６８へ転動する持ち玉Ｔの転動方向が、通路部６８の入り口付近で変化することとなり、この部分に持ち玉Ｔが集中することになる。従って、この持ち玉Ｔの転動方向が変化する通路部６８の入り口付近に玉詰まり防止部材（崩し板８１）を配置することにより、ホッパーユニット（一時貯留部６０）から通路部６８への持ち玉Ｔの円滑な流入を実現することができる。
【０２５１】
本実施の形態における個別計数装置５０は、上記構成に加えて、玉詰まり防止部材（崩し板８１）は、通路部６８に面した表面に突起部８１Ａを有し、通路部６８に沿って往復運動する。
【０２５２】
上記構成によれば、通路部６８の持ち玉Ｔに対して、当該持ち玉Ｔの転動経路に沿って、突起部８１Ａを有する玉詰まり防止部材（崩し板８１）を往復運動させることにより、当該突起部８１Ａによって持ち玉Ｔを転動経路に沿った方向に強制的に動かすことができる。これにより、持ち玉Ｔを止まらせることなく転動させることができ、玉詰まりを防止することができる。また、好ましくは、通路部６８に沿って複数の突起部８１Ａを設け、各突起部８１Ａの間隔を、持ち玉Ｔの直径よりも大きくし、玉詰まり防止部材（崩し板８１）の往復運動の振幅を突起部８１Ａの間隔以上とすることにより、突起部８１Ａが持ち玉Ｔに確実に当たるようにすることができる。
【０２５３】
本実施の形態における個別計数装置５０は、上記構成に加えて、玉詰まり防止部材（崩し板８１）は、断面凹状の通路部６８の側面に突起部８１Ａを通路部側に向けて配置され、持ち玉Ｔの転動方向に往復運動する。
【０２５４】
上記構成によれば、通路部６８の持ち玉Ｔに対して、当該持ち玉Ｔの転動方向に玉詰まり防止部材（崩し板８１）を往復運動させることにより、当該突起部８１Ａによって持ち玉Ｔを転動経路に沿った方向に強制的に動かすことができる。これにより、持ち玉Ｔを止まらせることなく転動させることができ、玉詰まりを防止することができる。特に、断面凹状の通路部６８の側面部において、玉詰まり防止部材（崩し板８１）を、その突起部８１Ａを通路側に向けて、持ち玉Ｔの転動方向に往復運動させることにより、例えば、突起部８１Ａを持ち玉Ｔの転動方向とは異なる上下方向等に往復運動させる場合に比べて、玉詰まりを一段と効果的に低減することができる。
【０２５５】
本実施の形態における個別計数装置５０は、上記構成に加えて、玉詰まり防止部材（崩し板８１）によって強制的に動かされる持ち玉Ｔの一群に分け入る板状部材（崩しカム板８３）を備える。
【０２５６】
上記構成によれば、一群の持ち玉Ｔの間に板状部材（崩しカム板８３）を分け入らせることで、当該一群の持ち玉Ｔが詰まりかけてもこれを崩すことができ、持ち玉Ｔが玉詰まり防止部材（崩し板８１）によって強制的に動かされることと相まって、当該持ち玉Ｔの一群の詰まり状態を有効に崩して通路を安定に転動させることができる。
【０２５７】
本実施の形態における個別計数装置５０は、上記構成に加えて、玉詰まり防止部材（崩し板８１）は、移送機構部（持ち上げ機構部７０）の駆動源（計数モータ７７）によって駆動される。
【０２５８】
上記構成によれば、移送機構部（持ち上げ機構部７０）の駆動源（計数モータ７７）と玉詰まり防止部材（崩し板８１）の駆動源とを共用とすることにより、駆動源の数を増加させることなく、有効に玉詰まりを防止することができる。
【０２５９】
また、本実施の形態における玉上げ装置（排出機構部２００）は、パチンコ玉（計数済みの持ち玉Ｔ）が転動する第１の通路１５０を転動するパチンコ玉を、上方に配置された第２の通路（シュート部材２５０）に移送する玉上げ装置（排出機構部２００）であって、ケーシング（マスク板２０９）と、ケーシング（マスク板２０９）に支持され、垂直成分を有する仮想平面上で回転可能に設けられたロータ（カム部材２１０）と、ロータ（カム部材２１０）の外周近傍に設けられ、ロータ（カム部材２１０）の回転に応じて、第１及び第２の通路に対して適宜に連通する凹部（保持部２１１Ａ、２１１Ｂ）と、ロータ（カム部材２１０）を回転するモータ（余玉モータ２０１）と、モータ（余玉モータ２０１）を制御する制御部３０１と、ケーシング（マスク板２０９）に設けられ、凹部（保持部２１１Ａ、２１１Ｂ）に収納されたパチンコ玉を第２の通路（シュート部材２５０）に押し出す押出部（押出し部材２０８）と、を備え、押出部（押出し部材２０８）は、凹部（保持部２１１Ａ、２１１Ｂ）が第２の通路（シュート部材２５０）に対して連通した際に、凹部（保持部２１１Ａ、２１１Ｂ）に収納されたパチンコ玉を、ロータ（カム部材２１０）の回転力によって第２の通路（シュート部材２５０）へ押し出す構成を有している。
【０２６０】
上記構成によれば、第１の通路１５０から第２の通路（シュート部材２５０）に対して、必要な個数のパチンコ玉を移送することができる。また、凹部（保持部２１１Ａ、２１１Ｂ）が第２の通路（シュート部材２５０）に連通した際に、当該凹部（保持部２１１Ａ、２１１Ｂ）のパチンコ玉が押出部（押出し部材２０８）によって第２の通路（シュート部材２５０）に押し出されることにより、パチンコ玉を勢いよく確実に排出することができる。なお、この玉上げ装置（排出機構部２００）は、個別計数装置５０に限らず、パチンコ玉を扱う他の装置においても広く適用することができるものである。
【０２６１】
本実施の形態における玉上げ装置（排出機構部２００）は、上記構成に加えて、押出部（押出し部材２０８）は、ケーシング（マスク板２０９）に対して着脱可能な板ばね状の金属部材である構成を有している。
【０２６２】
上記構成によれば、押出部（押出し部材２０８）を交換することができる。なお、金属部材は、ロータ（カム部材２１０）の回転によって凹部（保持部２１１Ａ、２１１Ｂ）が第２の通路（シュート部材２５０）に連通した際に、ケーシング（マスク板２０９）から凹部内に挿入されるように支持されており、ロータ（カム部材２１０）の回転に伴って、凹部内のパチンコ玉を掬い取るように第２の通路（シュート部材２５０）へ押し出すように構成されることが好ましい。
【０２６３】
本実施の形態における個別計数装置５０は、パチンコ遊技機１０から排出される遊技者の持ち玉Ｔを計数する個別計数装置５０であって、パチンコ遊技機１０から排出された持ち玉Ｔを計数するセンサ１２２Ａ、１２２Ｂ、１２３Ａ、１２３Ｂと、計数された持ち玉Ｔを貯留する貯留部１６０と、貯留部１６０に貯留された持ち玉Ｔの必要数を、貯留部１６０の上方に設けられた載置部１７０に移送する玉上げ機構部（排出機構部２００）と、を備え、玉上げ機構部（排出機構部２００）は、ケーシング（マスク板２０９）と、ケーシング（マスク板２０９）に支持され、垂直成分を有する仮想平面上で回転可能に設けられたロータ（カム部材２１０）と、ロータ（カム部材２１０）の外周近傍に設けられ、ロータ（カム部材２１０）の回転に応じて、貯留部１６０に連通する第１の通路１５０及び載置部１７０の上部に設けられた第２の通路（シュート部材２５０）に対して適宜に連通する凹部（保持部２１１Ａ、２１１Ｂ）と、ロータ（カム部材２１０）を回転するモータ（余玉モータ２０１）と、モータ（余玉モータ２０１）を制御する制御部３０１と、ケーシング（マスク板２０９）に設けられ、凹部（保持部２１１Ａ、２１１Ｂ）に収納された持ち玉Ｔを第２の通路（シュート部材２５０）に押し出す押出部（押出し部材２０８）と、を有し、押出部（押出し部材２０８）は、凹部（保持部２１１Ａ、２１１Ｂ）が第２の通路（シュート部材２５０）に対して連通した際に、凹部（保持部２１１Ａ、２１１Ｂ）に収納された持ち玉Ｔを、ロータ（カム部材２１０）の回転力によって第２の通路（シュート部材２５０）へ押し出す構成を有している。
【０２６４】
上記構成によれば、持ち玉Ｔの貯留部１６０に連通する第１の通路１５０から載置部１７０の上方に設けられた第２の通路（シュート部材２５０）に対して、必要な個数の持ち玉Ｔを移送することができる。また、凹部（保持部２１１Ａ、２１１Ｂ）が第２の通路（シュート部材２５０）に連通した際に、当該凹部（保持部２１１Ａ、２１１Ｂ）の持ち玉Ｔが押出部（押出し部材２０８）によって第２の通路（シュート部材２５０）に押し出されることにより、持ち玉Ｔを勢いよく確実に排出することができる。これにより、貯留部１６０に貯留された持ち玉Ｔの必要数を、載置部１７０へ移送することができる。かかる構成の持ち玉Ｔの玉上げ機構部（排出機構部２００）を備えることにより、貯留部１６０と載置部１７０とを上下に配置することができ、上下のスペースを有効に利用した個別計数装置５０を実現することができる。
【０２６５】
また、本実施の形態におけるレーン切替装置は、パチンコ玉を転動させる転動レーン１２１と、転動レーン１２１から当該転動レーン１２１と直交成分を有して分岐する分岐レーン１３５Ａ、１３５Ｂと、転動レーン１２１を転動するパチンコ玉を分岐レーン１３５Ａ、１３５Ｂへ誘導する誘導面１４２Ａ、１４２Ｂを有する膨出部１４１Ａ、１４１Ｂを、転動レーン１２１と分岐レーン１３５Ａ、１３５Ｂとの分岐部分において転動レーン１２１へ出没させるレーン切替機構部（切替部１３０）と、を備える。
【０２６６】
上記構成によれば、転動レーン１２１に膨出部１４１Ａ、１４１Ｂを出没させるという簡単かつ安定な動作によりパチンコ玉の転動レーン１２１を切り替えることができる。なお、このレーン切替装置（切替部１３０）は、個別計数装置５０に限らず、パチンコ玉を扱う他の装置においても広く適用することができる。
【０２６７】
本実施の形態におけるレーン切替装置は、上記構成に加えて、転動レーン１２１と分岐レーン１３５Ａ、１３５Ｂとの分岐部分に設けられた転動レーン１２１の底部のパチンコ玉よりも小さい幅の開口部１３１Ａ、１３１Ｂを備え、レーン切替機構部（切替部１３０）は、膨出部１４１Ａ、１４１Ｂを開口部１３１Ａ、１３１Ｂを介して転動レーン１２１へ出没させる。
【０２６８】
上記構成によれば、転動レーン１２１の底面に設けられた開口部１３１Ａ、１３１Ｂから転動レーン１２１内へ膨出部１４１Ａ、１４１Ｂを出没させることにより、パチンコ玉を分岐させない場合には、膨出部１４１Ａ、１４１Ｂを転動レーン１２１の底面下に退避させることができるので、不要な場合には膨出部１４１Ａ、１４１Ｂが転動レーン１２１を転動するパチンコ玉の障害になることを防止することができる。これにより、安定したレーン切り替えを行うことができる。
【０２６９】
本実施の形態におけるレーン切替装置は、上記構成に加えて、分岐レーン１３５Ａ、１３５Ｂは、当該分岐レーン１３５Ａ、１３５Ｂに誘導されたパチンコ玉を貯留する貯留部１６０に接続され、レーン切替機構部（切替部１３０）は、貯留部１５０に誘導されたパチンコ玉の総重量の作用により、開口部１３１Ａ、１３１Ｂから転動レーン１２１へ膨出部１４１Ａ、１４１Ｂを出没させる。
【０２７０】
上記構成によれば、貯留部１６０に貯留されたパチンコ玉の総重量に応じて、レーン切替機構部（切替部１３０）に膨出部１４１Ａ、１４１Ｂを出没させて、貯留部１６０へパチンコ玉を誘導するか否かを切り替えることができる。すなわち、貯留部１６０のパチンコ玉が少なくなると、転動レーン１２１から当該貯留部１６０へパチンコ玉を補充することができる。このように、転動レーン１２１に出没する膨出部１４１Ａ、１４１Ｂを用いて転動レーン１２１を転動するパチンコ玉を貯留部１６０へ誘導するようにしたことにより、必要な数のパチンコ玉を貯留部１６０に貯留させることが可能となる。
【０２７１】
また、好ましくは、転動レーン１２１として複数のレーン（第１レーン１２１Ａ、第２レーン１２１Ｂ）を設け、これらの各々に膨出部１４１Ａ、１４１Ｂを出没させることにより、一度に多くのパチンコ玉を処理することができる。複数の膨出部１４１Ａ、１４１Ｂは、１つの貯留部１６０に設けられており、複数のレーン（第１レーン１２１Ａ、第２レーン１２１Ｂ）から分岐レーン１３５Ａ、１３５Ｂに誘導されたパチンコ玉は、それぞれ１つの貯留部１６０に貯留される。
【０２７２】
本実施の形態におけるレーン切替装置は、上記構成に加えて、レーン切替機構部（切替装置１３０）は、支点を中心として膨出部１４１Ａ、１４１Ｂ及び貯留部１６０が配置されてなり、膨出部１４１Ａ、１４１Ｂ及び貯留部１６０は、シーソ杆（杆板１４９）に連結されている。
【０２７３】
上記構成によれば、シーソ杆（杆板１４９）の作用により、膨出部１４１Ａ、１４１Ｂを転動レーン１２１へ出没させることができる。
【０２７４】
本実施の形態におけるレーン切替装置は、上記構成に加えて、シーソ杆（杆板１４９）は、パチンコ玉が貯留部１６０に貯留されていない状態で膨出部１４１Ａ、１４１Ｂが下方に位置するように、レーン切替機構部（切替部１３０）を付勢する重り１５２を備える。
【０２７５】
上記構成によれば、重り１５２の作用によって転動レーン１２１への膨出部１４１Ａ、１４１Ｂの出没を制御することにより、膨出部１４１Ａ、１４１Ｂの駆動源として例えばばね部材等を用いる場合に比べて、寿命を長くすることができる。
【０２７６】
本実施の形態におけるレーン切替装置は、上記構成に加えて、重り１５２はシーソ杆（杆板１４９）に対して着脱自在である。
【０２７７】
上記構成によれば、重り１５２の重さを変更することにより、膨出部１４１Ａ、１４１Ｂによって転動レーン１２１が切り替わる際の貯留部１６０のパチンコ玉の数を設定変更することが可能となる。
【０２７８】
本実施の形態における個別計数装置５０は、パチンコ遊技機１０から排出される遊技者の持ち玉Ｔを計数する個別計数装置５０であって、持ち玉Ｔの導入口と排出口５４との間に傾斜状に設けられる持ち玉Ｔの転動レーン１２１と、転動レーン１２１から当該転動レーン１２１と直交成分を有して分岐し、持ち玉Ｔの貯留部１６０と接続される貯留レーン（第１分岐レーン１３５Ａ、第２分岐レーン１３５Ｂ）と、転動レーン１２１と貯留レーン（第１分岐レーン１３５Ａ、第２分岐レーン１３５Ｂ）との分岐部分に設けられた転動レーン１２１の底部の持ち玉Ｔよりも小さい幅の開口部１３１Ａ、１３１Ｂと、持ち玉Ｔを誘導する平面視扇状の誘導面１４２Ａ、１４２Ｂを有する膨出部１４１Ａ、１４１Ｂが、貯留部１６０へ誘導された持ち玉Ｔの総重量の作用により、開口部１３１Ａ、１３１Ｂから転動レーン１２１へ出没するレーン切替機構部（切替部１３０）と、を備え、レーン切替機構部（切替部１３０）は、支点（軸部材１４８）を中心として膨出部１４１Ａ、１４１Ｂ及び貯留部１６０が配置されてなり、膨出部１４１Ａ、１４１Ｂ及び貯留部１６０は、シーソ杆（杆板１４９）に連結される。
【０２７９】
上記構成によれば、貯留部１６０に貯留された持ち玉の総重量に応じて、レーン切替機構部（切替部１３０）に膨出部１４１Ａ、１４１Ｂを出没させて、貯留部１６０へ持ち玉Ｔを誘導するか否かを切り替えることができる。すなわち、貯留部１６０の持ち玉Ｔが少なくなると、転動レーン１２１から当該貯留部１６０へ持ち玉Ｔを補充することができ、貯留部１６０に持ち玉が溜まると、転動レーン１２１を転動する持ち玉Ｔをそのまま回収用に排出させる。貯留部１６０に補充された持ち玉Ｔは、その後、余り玉として遊技者へ払い出されることになる。このように、転動レーン１２１に出没する膨出部１４１Ａ、１４１Ｂを用いて転動レーン１２１を転動する持ち玉Ｔを貯留部１６０へ誘導するようにしたことにより、安定な動作により貯留部１６０への持ち玉Ｔの誘導が可能となる。これにより、パチンコ遊技機１０から排出された遊技者の持ち玉Ｔを計数する際に、その一部を余り玉として貯留部１６０に誘導して、必要に応じて遊技者に払い出すことが可能となる。
【０２８０】
また、好ましくは、転動レーン１２１として複数のレーン（第１転動レーン１２１Ａ、第２転動レーン１２１Ｂ）を設け、これらの各々に膨出部１４１Ａ、１４１Ｂを出没させることにより、一度に多くの持ち玉Ｔを処理することができる。複数の膨出部１４１Ａ、１４１Ｂは、１つの貯留部１６０に設けられており、複数のレーン（第１転動レーン１２１Ａ、第２転動レーン１２１Ｂ）から貯留レーン（第１分岐レーン１３５Ａ、第２分岐レーン１３５Ｂ）に誘導された持ち玉Ｔは、それぞれ１つの上記貯留部１６０に貯留される。
【０２８１】
また、本実施の形態における個別計数装置５０は、上記構成に加えて、シーソ杆（杆板１４９）は、持ち玉Ｔが貯留部１６０に貯留されていない状態で膨出部１４１Ａ、１４１Ｂの側が下方に位置するように、レーン切替機構部（切替部１３０）を付勢する重り１５２を備える。
【０２８２】
上記構成によれば、重り１５２の作用によって転動レーン１２１への膨出部１４１Ａ、１４１Ｂの出没を制御することにより、膨出部１４１Ａ、１４１Ｂの駆動源として例えばばね部材等を用いる場合に比べて、寿命を長くすることができる。
【０２８３】
また、本実施の形態における個別計数装置５０は、上記構成に加えて、重り１５２はシーソ杆（杆板１４９）に対して着脱自在であることを特徴としている。
【０２８４】
上記構成によれば、重り１５２の重さを変更することにより、膨出部１４１Ａ、１４１Ｂによって転動レーン１２１が切り替わる際の貯留部１６０の持玉数を設定変更することが可能となる。
【符号の説明】
【０２８５】
１０  パチンコ遊技機
２０  サンド
３０  ユニット部
３２  ＣＰＵユニット
５１  本体部
５５  導入開口部
５２  排出部
５４  排出口
５７  板状部材
６０  一時貯留部
６８  通路部
７０  持ち上げ機構部（移送機構部）
７３、７４  ロータ部材
７７  計数モータ
８１  崩し板
８１Ａ  突起部
８３  崩しカム板
８４  リンク部材
９０  着脱機構部
９１  ロックアーム
９２  コネクタ部
１００  転動部
１０１、１２１  転動レーン
１１０  カバー
１１１  排出孔
１２０  底板
１２２Ａ、１２２Ｂ、１２３Ａ、１２３Ｂ  計数センサ
１２４、１２５  予備センサ
１３０  切替部
１３１Ａ、１３１Ｂ  開口部
１３５Ａ  第１分岐レーン
１３５Ｂ  第２分岐レーン
１４０  余玉ケース
１４１Ａ、１４１Ｂ  膨出部
１４２Ａ、１４２Ｂ  誘導面
１４９  杆板
１５２  重り
１７０  載置部
２００  排出機構部
２０１  余玉モータ
２０８  押出し部材
２１０  カム部材
２１１Ａ、２１１Ｂ  保持部
２５０  シュート部材
【図１】
0005552267.tif 000002
【図２】
0005552267.tif 000003
【図３】
0005552267.tif 000004
【図４】
0005552267.tif 000005
【図５】
0005552267.tif 000006
【図６】
0005552267.tif 000007
【図７】
0005552267.tif 000008
【図８】
0005552267.tif 000009
【図９】
0005552267.tif 000010
【図１０】
0005552267.tif 000011
【図１１】
0005552267.tif 000012
【図１２】
0005552267.tif 000013
【図１３】
0005552267.tif 000014
【図１４】
0005552267.tif 000015
【図１５】
0005552267.tif 000016
【図１６】
0005552267.tif 000017
【図１７】
0005552267.tif 000018
【図１８】
0005552267.tif 000019
【図１９】
0005552267.tif 000020
【図２０】
0005552267.tif 000021
【図２１】
0005552267.tif 000022
【図２２】
0005552267.tif 000023
【図２３】
0005552267.tif 000024
【図２４】
0005552267.tif 000025
【図２５】
0005552267.tif 000026
【図２６】
0005552267.tif 000027
【図２７】
0005552267.tif 000028
【図２８】
0005552267.tif 000029
【図２９】
0005552267.tif 000030
【図３０】
0005552267.tif 000031
【図３１】
0005552267.tif 000032
【図３２】
0005552267.tif 000033
【図３３】
0005552267.tif 000034
【図３４】
0005552267.tif 000035
【図３５】
0005552267.tif 000036
【図３６】
0005552267.tif 000037
【図３７】
0005552267.tif 000038
【図３８】
0005552267.tif 000039
【図３９】
0005552267.tif 000040
【図４０】
0005552267.tif 000041
【図４１】
0005552267.tif 000042
【図４２】
0005552267.tif 000043
【図４３】
0005552267.tif 000044
【図４４】
0005552267.tif 000045
【図４５】
0005552267.tif 000046
【図４６】
0005552267.tif 000047
【図４７】
0005552267.tif 000048
【図４８】
0005552267.tif 000049
【図４９】
0005552267.tif 000050
【図５０】
0005552267.tif 000051
【図５１】
0005552267.tif 000052
【図５２】
0005552267.tif 000053
【図５３】
0005552267.tif 000054